(57)【要約】【課題】省電力化を図った閲覧端末及び閲覧端末の省電力化のための閲覧端末プログラムを提供する。【解決手段】電源が切断されても表示内容が保持される電気泳動方式の表示部が用いられ、不揮発性メモリであるＥＥＰＲＯＭに電気泳動表示部に表示されている文書のＩＤ及び表示ページの情報を記憶する。そして、所定時間（５秒）間キー入力がない場合に（Ｓ１１：ＹＥＳ）、閲覧端末のシステム全体の電源が切断され（Ｓ１４）、キー入力が行われると（Ｓ１３：ＹＥＳ）、電源が接続される（Ｓ１４）。【選択図】図６
2007187927.tif 000002
【特許請求の範囲】
【請求項１】
情報を表示する閲覧端末であって、
情報を表示し、電源が断たれても表示内容が消去されない不揮発性表示手段と、
当該文書閲覧端末への指示を入力する入力手段と、
当該閲覧端末への電源の接続、切断を切り替える第一電源切替手段と、
前記入力手段による入力が行われない時間を計測する未入力時間計測手段と、
当該未入力時間計測手段により計測された未入力時間が所定時間以上となったか否かを判断する未入力時間判断手段と、
当該未入力時間判断手段により前記未入力時間が所定時間以上となった場合に、前記電源切替手段により電源から切断する第一電源切断制御手段と、
当該電源切断制御手段により電源が切断された後に前記入力手段による入力が行われた際に、前記電源切替手段により電源を接続する第一電源接続制御手段と、
前記不揮発性表示手段に表示されている文書領域を示す情報である表示状態情報を記憶し、電源が断たれても記憶内容が消去されない不揮発性の第一表示状態情報記憶手段と
を備えたことを特徴とする閲覧端末。
【請求項２】
情報を表示する閲覧端末であって、
情報を表示し、電源が断たれても表示内容が消去されない不揮発性表示手段と、
情報を記憶する記憶手段と、
当該文書閲覧端末への指示を入力する入力手段と、
前記入力手段による入力が行われない時間を計測する未入力時間計測手段と、
当該未入力時間計測手段により計測された未入力時間が所定時間以上となったか否かを判断する未入力時間判断手段と、
前記情報を前記不揮発性表示手段に表示するための座標情報に変換する座標情報変換手段と、
当該座標情報変換手段により変換された前記座標情報を記憶する座標情報記憶手段と、
当該座標情報記憶手段に記憶されている前記座標情報を前記不揮発性表示手段に表示するための画素情報に変換する画素情報変換手段と、
当該画素情報変換手段により変換された画素情報を記憶する画素情報記憶手段と、
当該画素情報記憶手段に記憶されている前記画素情報を前記不揮発性表示手段に表示する表示制御手段と、
前記不揮発性表示手段に表示されている文書領域を示す情報である表示状態情報を記憶する第二表示状態情報記憶手段と、
前記記憶手段に接続する電源である記憶電源と、
当該記憶電源の前記記憶手段への接続、切断を切り替える記憶電源切替手段と、
当該未入力時間判断手段により前記未入力時間が所定時間以上となった場合に、前記記憶電源切替手段により前記記憶手段を前記記憶電源から切断する記憶電源切断制御手段と、
当該記憶電源切断制御手段により前記記憶電源が前記記憶手段から切断された後に前記入力手段による入力が行われた際に、前記記憶電源切替手段により前記記憶手段へ前記記憶電源を接続する記憶電源接続制御手段と、
前記記憶手段が前記記憶電源に接続及び切断のいずれの状態であっても、前記第二表示状態情報記憶手段による前記表示状態情報の記憶を維持する維持手段と
を備え、
前記記憶手段には少なくとも前記座標情報記憶手段が設けられていることを特徴とする閲覧端末。
【請求項３】
前記画素情報記憶手段は前記不揮発性表示手段に設けられており、
前記不揮発性表示手段に接続する電源である表示電源と、
当該表示電源の前記不揮発性表示手段への接続、切断を切り替える表示電源切替手段と、
当該未入力時間判断手段により前記未入力時間が所定時間以上となった場合に、前記表示電源切替手段により前記不揮発性表示手段を前記表示電源から切断する表示電源切断制御手段と、
当該表示切断制御手段により前記表示電源が前記不揮発性表示手段から切断された後に前記入力手段による入力が行われ、前記座標情報変換手段により変換された前記座標情報が前記座標情報記憶手段に記憶された際に、前記表示電源切替手段により前記不揮発性表示手段へ前記表示電源を接続する第一表示電源接続制御手段と
を備えたことを特徴とする請求項２に記載の閲覧端末。
【請求項４】
前記不揮発性表示手段に表示されている内容の一部のみの書き換えが行われる場合には、前記座標情報変換手段、前記座標情報記憶手段及び前記画素情報変換手段を用いずに、前記画素情報記憶手段に記憶されている前記画素情報を変更させることにより、前記不揮発性表示手段の表示内容を変更する表示内容一部変更手段を備えたことを特徴とする請求項２又は３に記載の閲覧端末。
【請求項５】
前記画素情報記憶手段は前記記憶手段に設けられており、
前記不揮発性表示手段に接続する電源である表示電源と、
当該表示電源の前記不揮発性表示手段への接続、切断を切り替える表示電源切替手段と、
前記表示制御手段により前記不揮発性表示手段に前記画素情報を表示する際にのみ前記表示電源切替手段により前記不揮発性表示手段の前記表示電源を接続する第二表示電源接続制御手段と
を備えたことを特徴とする請求項２に記載の閲覧端末。
【請求項６】
前記画素情報記憶手段に記憶されている前記画素情報と同じ画素情報を記憶する前回画素情報記憶手段と、
前記画素情報変換手段により前記画素情報が変換され前記画素情報記憶手段に記憶される前に、前記画素情報記憶手段に記憶されている前記画素情報を前記前回画素情報記憶手段に前回画素情報として記憶する画素情報移行手段とを備え、
前記表示制御手段は、
前記画素情報記憶手段に記憶されている前記画素情報と前記前回画素情報記憶手段に記憶されている前記前回画素情報とを比較し、前記画素情報において前記前回画素情報との差分に基づいて表示の制御を行うことを特徴とする請求項２乃至５のいずれかに記載の閲覧端末。
【請求項７】
情報を記憶する着脱可能な記憶媒体を接続する記憶媒体接続手段と、
当該記憶媒体接続手段に前記記憶媒体が接続されたことを検知する記憶媒体接続検知手段と、
前記記憶媒体接続手段から前記記憶媒体が切断されたことを検知する記憶媒体切断検知手段と、
当該記憶媒体接続検知手段により前記記憶媒体が接続されたことが検知されない間及び前記記憶媒体切断検知手段により前記記憶媒体が切断されたことが検知された後から前記記憶媒体接続検知手段により前記記憶媒体が接続されたことが検知されるまでの間においては、前記第一電源切断制御手段及び前記第一電源接続制御手段、又は、前記記憶電源切断制御手段及び前記記憶電源接続制御手段を機能させない電源切断制御手段と
を備えたことを特徴とする請求項１乃至６のいずれかに記載の閲覧端末。
【請求項８】
情報を記憶する着脱可能な記憶媒体を接続する記憶媒体接続手段と、
当該記憶媒体接続手段に前記記憶媒体が接続されたことを検知する記憶媒体接続検知手段と、
前記記憶媒体接続手段から前記記憶媒体が切断されたことを検知する記憶媒体切断検知手段とを備え、
前記記憶媒体接続検知手段は、
前記記憶媒体を前記記憶媒体接続手段が接続可能な位置に前記記憶媒体が設置された際に入とされる挿入検知スイッチと、
当該閲覧端末を制御する制御手段及び前記挿入検知スイッチに接続した未接続時監視スイッチとを備え、
前記記憶媒体切断検知手段は、
前記記憶媒体を前記記憶媒体接続手段が接続可能な位置に前記記憶媒体がない際に入とされる抜取検知スイッチと、
当該閲覧端末を制御する制御手段及び前記抜取挿入検知スイッチに接続した接続時監視スイッチとを備え、
前記挿入検知スイッチが入とされている場合には前記未接続時監視スイッチを切とし、前記接続時監視スイッチを入とし、前記抜取検知スイッチが入とされている場合には前記未接続時監視スイッチを入とし、前記接続時監視スイッチを切とする検知制御手段を備えたことを特徴とする請求項１乃至７のいずれかに記載の閲覧端末。
【請求項９】
前記表示状態情報は、前記不揮発性表示手段に表示されている情報を他の情報と識別するデータファイル識別情報と、前記不揮発性表示手段に表示されている情報における現在の表示位置を示す表示開始情報とを含むことを特徴とする請求項１乃至８のいずれかに記載の閲覧端末。
【請求項１０】
請求項１乃至９のいずれかに記載の閲覧端末の各種処理手段としてコンピュータを機能させるための閲覧端末プログラム。
【発明の詳細な説明】
【技術分野】
【０００１】
本発明は、閲覧端末及び閲覧端末プログラムに関するものであり、詳細には、省電力化を図った閲覧端末及び閲覧端末の省電力化のための閲覧端末プログラムに関するものである。
【背景技術】
【０００２】
従来より、乾電池やバッテリで駆動する装置においては、その駆動時間を長くすることが求められている。大容量の乾電池やバッテリを使用すれば、その駆動時間は長くなるが、それでは装置が大型化してしまうという問題点がある。そこで、消費電力を軽減することにより駆動時間をより長くするというという方法が考えられる。特許文献１に記載の発明の画像表示装置では、キーボードの操作が一定時間なされていない場合に、画像生成回路及び画像メモリの電源を切断し、新たなキーボード入力がなされた際には画像生成回路及び画像メモリの電源を再接続し、起動させるという制御を行うことにより、画像生成回路及び画像メモリの消費電力の低減を図っている。
【特許文献１】特開平５−２７３９５０号公報
【発明の開示】
【発明が解決しようとする課題】
【０００３】
しかしながら、特許文献１に記載の発明の画像表示装置では、画像生成回路及び画像メモリで生じされる電力の低減を図っているのみであり、表示装置では依然として通常と同じ電力が消費されているという問題点がある。
【０００４】
本発明は、上述の問題点を解決するためになされたものであり、省電力化を図った閲覧端末及び閲覧端末の省電力化のための閲覧端末プログラムを提供することを目的とする。
【課題を解決するための手段】
【０００５】
上記課題を解決するため、請求項１に係る発明の閲覧端末では、情報を表示する閲覧端末であって、情報を表示し、電源が断たれても表示内容が消去されない不揮発性表示手段と、当該文書閲覧端末への指示を入力する入力手段と、当該閲覧端末への電源の接続、切断を切り替える第一電源切替手段と、前記入力手段による入力が行われない時間を計測する未入力時間計測手段と、当該未入力時間計測手段により計測された未入力時間が所定時間以上となったか否かを判断する未入力時間判断手段と、当該未入力時間判断手段により前記未入力時間が所定時間以上となった場合に、前記電源切替手段により電源から切断する第一電源切断制御手段と、当該電源切断制御手段により電源が切断された後に前記入力手段による入力が行われた際に、前記電源切替手段により電源を接続する第一電源接続制御手段と、前記不揮発性表示手段に表示されている文書領域を示す情報である表示状態情報を記憶し、電源が断たれても記憶内容が消去されない不揮発性の第一表示状態情報記憶手段とを備えたことを特徴とする。
【０００６】
また、請求項２に係る発明の閲覧端末では、情報を表示する閲覧端末であって、情報を表示し、電源が断たれても表示内容が消去されない不揮発性表示手段と、情報を記憶する記憶手段と、当該文書閲覧端末への指示を入力する入力手段と、前記入力手段による入力が行われない時間を計測する未入力時間計測手段と、当該未入力時間計測手段により計測された未入力時間が所定時間以上となったか否かを判断する未入力時間判断手段と、前記情報を前記不揮発性表示手段に表示するための座標情報に変換する座標情報変換手段と、当該座標情報変換手段により変換された前記座標情報を記憶する座標情報記憶手段と、当該座標情報記憶手段に記憶されている前記座標情報を前記不揮発性表示手段に表示するための画素情報に変換する画素情報変換手段と、当該画素情報変換手段により変換された画素情報を記憶する画素情報記憶手段と、当該画素情報記憶手段に記憶されている前記画素情報を前記不揮発性表示手段に表示する表示制御手段と、前記不揮発性表示手段に表示されている文書領域を示す情報である表示状態情報を記憶する第二表示状態情報記憶手段と、前記記憶手段に接続する電源である記憶電源と、当該記憶電源の前記記憶手段への接続、切断を切り替える記憶電源切替手段と、当該未入力時間判断手段により前記未入力時間が所定時間以上となった場合に、前記記憶電源切替手段により前記記憶手段を前記記憶電源から切断する記憶電源切断制御手段と、当該記憶電源切断制御手段により前記記憶電源が前記記憶手段から切断された後に前記入力手段による入力が行われた際に、前記記憶電源切替手段により前記記憶手段へ前記記憶電源を接続する記憶電源接続制御手段と、前記記憶手段が前記記憶電源に接続及び切断のいずれの状態であっても、前記第二表示状態情報記憶手段による前記表示状態情報の記憶を維持する維持手段とを備え、前記記憶手段には少なくとも前記座標情報記憶手段が設けられている。
【０００７】
また、請求項３に係る発明の閲覧端末では、請求項２に記載の発明の構成に加えて、前記画素情報記憶手段は前記不揮発性表示手段に設けられており、前記不揮発性表示手段に接続する電源である表示電源と、当該表示電源の前記不揮発性表示手段への接続、切断を切り替える表示電源切替手段と、当該未入力時間判断手段により前記未入力時間が所定時間以上となった場合に、前記表示電源切替手段により前記不揮発性表示手段を前記表示電源から切断する表示電源切断制御手段と、当該表示切断制御手段により前記表示電源が前記不揮発性表示手段から切断された後に前記入力手段による入力が行われ、前記座標情報変換手段により変換された前記座標情報が前記座標情報記憶手段に記憶された際に、前記表示電源切替手段により前記不揮発性表示手段へ前記表示電源を接続する第一表示電源接続制御手段とを備えている。
【０００８】
また、請求項４に係る発明の閲覧端末では、請求項２又は３に記載の発明の構成に加えて、前記不揮発性表示手段に表示されている内容の一部のみの書き換えが行われる場合には、前記座標情報変換手段、前記座標情報記憶手段及び前記画素情報変換手段を用いずに、前記画素情報記憶手段に記憶されている前記画素情報を変更させることにより、前記不揮発性表示手段の表示内容を変更する表示内容一部変更手段を備えている。
【０００９】
また、請求項５に係る発明の閲覧端末では、請求項２に記載の発明の構成に加えて、前記画素情報記憶手段は前記記憶手段に設けられており、前記不揮発性表示手段に接続する電源である表示電源と、当該表示電源の前記不揮発性表示手段への接続、切断を切り替える表示電源切替手段と、前記表示制御手段により前記不揮発性表示手段に前記画素情報を表示する際にのみ前記表示電源切替手段により前記不揮発性表示手段の前記表示電源を接続する第二表示電源接続制御手段とを備えている。
【００１０】
また、請求項６に係る発明の閲覧端末では、請求項２乃至５のいずれかに記載の発明の構成に加えて、前記画素情報記憶手段に記憶されている前記画素情報と同じ画素情報を記憶する前回画素情報記憶手段と、前記画素情報変換手段により前記画素情報が変換され前記画素情報記憶手段に記憶される前に、前記画素情報記憶手段に記憶されている前記画素情報を前記前回画素情報記憶手段に前回画素情報として記憶する画素情報移行手段とを備え、前記表示制御手段は、前記画素情報記憶手段に記憶されている前記画素情報と前記前回画素情報記憶手段に記憶されている前記前回画素情報とを比較し、前記画素情報において前記前回画素情報との差分に基づいて表示の制御を行う。
【００１１】
また、請求項７に係る発明の閲覧端末では、請求項１乃至６のいずれかに記載の発明の構成に加えて、情報を記憶する着脱可能な記憶媒体を接続する記憶媒体接続手段と、当該記憶媒体接続手段に前記記憶媒体が接続されたことを検知する記憶媒体接続検知手段と、前記記憶媒体接続手段から前記記憶媒体が切断されたことを検知する記憶媒体切断検知手段と、当該記憶媒体接続検知手段により前記記憶媒体が接続されたことが検知されない間及び前記記憶媒体切断検知手段により前記記憶媒体が切断されたことが検知された後から前記記憶媒体接続検知手段により前記記憶媒体が接続されたことが検知されるまでの間においては、前記第一電源切断制御手段及び前記第一電源接続制御手段、又は、前記記憶電源切断制御手段及び前記記憶電源接続制御手段を機能させない電源切断制御手段とを備えている。
【００１２】
また、請求項８に係る発明の閲覧端末では、請求項１乃至７のいずれかに記載の発明の構成に加えて、情報を記憶する着脱可能な記憶媒体を接続する記憶媒体接続手段と、当該記憶媒体接続手段に前記記憶媒体が接続されたことを検知する記憶媒体接続検知手段と、前記記憶媒体接続手段から前記記憶媒体が切断されたことを検知する記憶媒体切断検知手段とを備え、前記記憶媒体接続検知手段は、前記記憶媒体を前記記憶媒体接続手段が接続可能な位置に前記記憶媒体が設置された際に入とされる挿入検知スイッチと、当該閲覧端末を制御する制御手段及び前記挿入検知スイッチに接続した未接続時監視スイッチとを備え、前記記憶媒体切断検知手段は、前記記憶媒体を前記記憶媒体接続手段が接続可能な位置に前記記憶媒体がない際に入とされる抜取検知スイッチと、当該閲覧端末を制御する制御手段及び前記抜取挿入検知スイッチに接続した接続時監視スイッチとを備え、前記挿入検知スイッチが入とされている場合には前記未接続時監視スイッチを切とし、前記接続時監視スイッチを入とし、前記抜取検知スイッチが入とされている場合には前記未接続時監視スイッチを入とし、前記接続時監視スイッチを切とする検知制御手段を備えている。
【００１３】
また、請求項９に係る発明の閲覧端末では、請求項１乃至８のいずれかに記載の発明の構成に加えて、前記表示状態情報は、前記不揮発性表示手段に表示されている情報を他の情報と識別するデータファイル識別情報と、前記不揮発性表示手段に表示されている情報における現在の表示位置を示す表示開始情報とを含むことを特徴とする。
【００１４】
また、請求項１０に係る発明の閲覧端末プログラムでは、請求項１乃至９のいずれかに記載の閲覧端末の各種処理手段としてコンピュータを機能させる。
【発明の効果】
【００１５】
請求項１に係る発明の閲覧端末では、不揮発性表示手段は、情報を表示し、電源が断たれても表示内容が消去されずに表示内容を継続して表示することができる。そして、入力手段は、文書閲覧端末への指示を入力し、第一電源切替手段は、閲覧端末への電源の接続、切断を切り替え、未入力時間計測手段は、入力手段による入力が行われない時間を計測し、未入力時間判断手段は、未入力時間計測手段により計測された未入力時間が所定時間以上となったか否かを判断し、第一電源切断制御手段は、未入力時間判断手段により未入力時間が所定時間以上となった場合に、電源切替手段により電源から切断し、第一電源接続制御手段は、電源切断制御手段により電源が切断された後に入力手段による入力が行われた際に、電源切替手段により電源を接続し、第一表示状態情報記憶手段は、不揮発性表示手段に表示されている文書領域を示す情報である表示状態情報を記憶し、電源が断たれても記憶内容が消去されない不揮発性の記憶手段とすることができる。よって、電源切断制御手段により電源が切断された後においても、第一表示状態情報記憶手段に表示状態情報が記憶されているので、入力手段による入力に対して、表示状態情報に基づいて処理することができ、省電力化することができる。
【００１６】
また、請求項２に係る発明の閲覧端末では、不揮発性表示手段は、情報を表示し、電源が断たれても表示内容が消去されずに表示内容を継続して表示することができる。そして、記憶手段は情報を記憶し、入力手段は、文書閲覧端末への指示を入力し、未入力時間計測手段は、入力手段による入力が行われない時間を計測し、未入力時間判断手段は、未入力時間計測手段により計測された未入力時間が所定時間以上となったか否かを判断し、座標情報変換手段は、情報を不揮発性表示手段に表示するための座標情報に変換し、座標情報記憶手段は、座標情報変換手段により変換された座標情報を記憶し、画素情報変換手段は、座標情報記憶手段に記憶されている座標情報を不揮発性表示手段に表示するための画素情報に変換し、画素情報記憶手段は、画素情報変換手段により変換された画素情報を記憶し、表示制御手段は、画素情報記憶手段に記憶されている画素情報を不揮発性表示手段に表示し、第二表示状態情報記憶手段は、不揮発性表示手段に表示されている文書領域を示す情報である表示状態情報を記憶し、記憶電源は、記憶手段に接続する電源であり、記憶電源切替手段は、記憶電源の記憶手段への接続、切断を切り替え、記憶電源切断制御手段は、未入力時間判断手段により未入力時間が所定時間以上となった場合に、記憶電源切替手段により記憶手段を記憶電源から切断し、記憶電源接続制御手段は、記憶電源切断制御手段により記憶電源が記憶手段から切断された後に入力手段による入力が行われた際に、記憶電源切替手段により記憶手段へ記憶電源を接続し、維持手段は、記憶手段が記憶電源に接続及び切断のいずれの状態であっても、第二表示状態情報記憶手段による表示状態情報の記憶を維持することができる。そして、記憶手段には少なくとも座標情報記憶手段を設けることができる。よって、記憶電源切断制御手段により電源が切断された後においても、第二表示状態情報記憶手段に表示状態情報が記憶されているので、入力手段による入力に対して、表示状態情報に基づいて処理することができ、省電力化することができる。
【００１７】
また、請求項３に係る発明の閲覧端末では、請求項２に記載の発明の効果に加えて、表示電源切替手段は、表示電源の不揮発性表示手段への接続、切断を切り替え、表示電源切断制御手段は、未入力時間判断手段により未入力時間が所定時間以上となった場合に、表示電源切替手段により不揮発性表示手段を表示電源から切断し、第一表示電源接続制御手段は、表示切断制御手段により表示電源が不揮発性表示手段から切断された後に入力手段による入力が行われ、座標情報変換手段により変換された座標情報が座標情報記憶手段に記憶された際に、表示電源切替手段により不揮発性表示手段へ表示電源を接続することができる。したがって、入力手段による入力が行われていない際には表示電源が切断されているので、省電力化することができる。
【００１８】
また、請求項４に係る発明の閲覧端末では、請求項２又は３に記載の発明の効果に加えて、表示内容一部変更手段は、不揮発性表示手段に表示されている内容の一部のみの書き換えが行われる場合には、座標情報変換手段、座標情報記憶手段及び画素情報変換手段を用いずに、画素情報記憶手段に記憶されている画素情報を変更させることにより、不揮発性表示手段の表示内容を変更することができる。したがって、処理工程が少ないので、閲覧端末の負荷を抑えることができ、省電力化を図ることができる。
【００１９】
また、請求項５に係る発明の閲覧端末では、請求項２に記載の発明の効果に加えて、表示電源切替手段は、表示電源の不揮発性表示手段への接続、切断を切り替え、第二表示電源接続制御手段は、表示制御手段により不揮発性表示手段に画素情報を表示する際にのみ表示電源切替手段により不揮発性表示手段の表示電源を接続することができる。したがって、不揮発性表示手段に画素情報を表示する際のみ表示電源が接続されるので、省電力化を図ることができる。
【００２０】
また、請求項６に係る発明の閲覧端末では、請求項２乃至５のいずれかに記載の発明の効果に加えて、前回画素情報記憶手段は、画素情報記憶手段に記憶されている画素情報と同じ画素情報を記憶し、画素情報移行手段は、画素情報変換手段により画素情報が変換され画素情報記憶手段に記憶される前に、画素情報記憶手段に記憶されている画素情報を前回画素情報記憶手段に前回画素情報として記憶することができる。また、表示制御手段は、画素情報記憶手段に記憶されている画素情報と前回画素情報記憶手段に記憶されている前回画素情報とを比較し、画素情報において前回画素情報との差分に基づいて表示の制御を行うことができる。したがって、すべての画素について表示の制御を行わないので、閲覧端末の負荷を抑えることができ、省電力化を図ることができる。
【００２１】
また、請求項７に係る発明の閲覧端末では、請求項１乃至６のいずれかに記載の発明の効果に加えて、記憶媒体接続手段は、情報を記憶する着脱可能な記憶媒体を接続し、記憶媒体接続検知手段は、記憶媒体接続手段に記憶媒体が接続されたことを検知し、記憶媒体切断検知手段は、記憶媒体接続手段から記憶媒体が切断されたことを検知し、電源切断制御手段は、記憶媒体接続検知手段により記憶媒体が接続されたことが検知されない間及び記憶媒体切断検知手段により記憶媒体が切断されたことが検知された後から記憶媒体接続検知手段により記憶媒体が接続されたことが検知されるまでの間においては、第一電源切断制御手段及び第一電源接続制御手段、又は、記憶電源切断制御手段及び記憶電源接続制御手段を機能させないことができる。したがって、省電力化を図ることができる。
【００２２】
また、請求項８に係る発明の閲覧端末では、請求項１乃至７のいずれかに記載の発明の効果に加えて、記憶媒体接続検知手段の挿入検知スイッチを記憶媒体が記憶媒体接続手段に接続可能な位置に記憶媒体が設置された際に入とすることができ、未接続時監視スイッチは、閲覧端末を制御する制御手段及び挿入検知スイッチに接続している。記憶媒体切断検知手段の抜取検知スイッチを記憶媒体が記憶媒体接続手段に接続可能な位置に記憶媒体がない際に入とすることができ、接続時監視スイッチは、閲覧端末を制御する制御手段及び抜取挿入検知スイッチに接続している。検知制御手段は、挿入検知スイッチが入とされている場合には未接続時監視スイッチを切とし、接続時監視スイッチを入とし、抜取検知スイッチが入とされている場合には未接続時監視スイッチを入とし、接続時監視スイッチを切とすることができる。
【００２３】
また、請求項９に係る発明の閲覧端末では、請求項１乃至８のいずれかに記載の発明の効果に加えて、前記表示状態情報はデータファイル識別情報と表示開始情報とを含んでいるので、電源が切断された後においても、入力手段による入力に対して、表示状態情報に基づいて処理することができ、省電力化することができる。
【００２４】
また、請求項１０に係る発明の閲覧端末プログラムでは、請求項１乃至９のいずれかにに記載の閲覧端末の各種処理手段としてコンピュータを機能させることができる。
【発明を実施するための最良の形態】
【００２５】
以下、本発明の第一の実施の形態から第五の実施の形態までを図面を参照して説明する。いずれの実施の形態においても、電源が切断されても表示内容が保持される電気泳動方式の表示部が用いられている。
【００２６】
第一の実施の形態では、閲覧端末全体を１つの電源で制御している場合の閲覧端末１について説明する。この閲覧端末１では、不揮発性メモリであるＥＥＰＲＯＭ１１に電気泳動表示部４に表示されている文書のＩＤ及び表示ページの情報（表示状態情報）を記憶しており、所定時間キー入力がない場合に閲覧端末のシステム全体の電源を切断し、キー入力が行われると電源が接続される。なお、所定時間は、操作者が操作をしている最中でない判断ができる程度の時間であればよく、あらかじめ定められている。本第一の実施の形態では５秒間とする。
【００２７】
第二の実施の形態では、閲覧端末のうち電気泳動表示部１０４及びＲＡＭ１１０の電源を個別に設け、電気泳動表示部１０４に電気泳動表示部に情報を表示するための表示データ記憶エリアを設けた閲覧端末１００について説明する。この閲覧端末１００では、常時作動ＲＡＭ１１１に電気泳動表示部１０４に設けられた記憶部に表示状態情報を記憶している。そして、所定時間キー入力がない場合に電気泳動表示部１０４及びＲＡＭ１１０の電源を切断し、キー入力が行われると、ＲＡＭ１１０、電気泳動表示部１０４の電源を順次接続する。なお、所定時間は、操作者が操作をしている最中でない判断ができる程度の時間であればよく、あらかじめ定められている。本第二の実施の形態では５秒間とする。
【００２８】
第三の実施の形態では、閲覧端末のうち電気泳動表示部２０４及びＲＡＭ２１０の電源を個別に設け、ＲＡＭ２１０に電気泳動表示部に情報を表示するための表示データ記憶エリアを設けた閲覧端末２００について説明する。この閲覧端末２００では、ＲＡＭ２１０に表示状態情報を記憶している。そして、電気泳動表示部２０４の表示内容を更新する再にのみ電気泳動表示部２０４の電源を接続し、更新しない際には電源を切断しており、所定時間キー入力がない場合にはＲＡＭ２１０の電源を切断し、キー入力が行われると、ＲＡＭ２１０の電源を順次接続する。なお、所定時間は、操作者が操作をしている最中でない判断ができる程度の時間であればよく、あらかじめ定められている。本第三の実施の形態では５秒間とする。
【００２９】
第四の実施の形態では、第二の実施の形態の閲覧端末１００に加えて、外部メモリであるメモリカード３０６の接続、切断を検知する挿入検知センサ３２２及び抜取検知センサ３２３を備えている閲覧端末３００について説明する。この閲覧端末３００では、メモリカードが接続されていない際には、表示の更新はないものとしてＲＡＭ３１０及び電気泳動表示部３０４の電源が切断されている。
【００３０】
第五の実施の形態では、第二の実施の形態の閲覧端末１００において、使用者からの操作が行われなくとも表示状態に変化のある閲覧端末４００について説明する。具体的には、一定間隔で点滅を繰り返すカーソル表示を行う閲覧端末４００である。この閲覧端末４００では、電気泳動表示部１０４に電気泳動表示部に情報を表示するための表示データ記憶エリアを設けているので、カーソルの点滅表示の更新を行っていてもＲＡＭ１１０の電源を切断しておくことができる。
【００３１】
まず、図１乃至図８を参照して、第一の実施の形態について説明する。図１は、閲覧端末１の外観図であり、図２は、閲覧端末１の電気的構成を示すブロック図である。図３は、電気泳動表示部４の正面図であり、図４は、電気泳動表示部４のＡ−Ａ´線（図３）における矢視方向断面図であり、図５は、電気泳動表示部４のＢ−Ｂ´線（図３）における矢視方向断面図である。尚、図４及び図５における上方向が、閲覧端末１の正面とする。そして、図６は、閲覧端末１のメイン動作を示すフローチャートであり、図７は、メイン動作の中で実施されるキーに応じた処理のフローチャートである。
【００３２】
まず、図１を参照して、閲覧端末１の外観について説明する。図１に示すように、略直方体形状をしており、その正面には電気泳動表示部４が設けられており、その下部には、上キー８１、下キー８２、左キー８３、右キー８４から成る操作キー８が設けられている。そして、右側面にはメモリカード６を挿入する挿入口８０が設けられている。
【００３３】
次に、図２のブロック図を参照して、閲覧端末１の電気的構成について説明する。図２に示すように、閲覧端末１には、閲覧端末１を制御するＣＰＵ２が設けられている。そして、ＣＰＵ２には、電気泳動表示部４に接続され、電気泳動表示部４への表示内容を制御する表示制御部３と、携帯型の外部メモリであるメモリカード６を接続可能なメモリカードインタフェイス（以下、Ｉ／Ｆと略す）５と、キー８に接続され、キー８からの入力を制御するキーＩ／Ｆ７と、ＣＰＵ２が実行するプログラム等を記憶したＲＯＭ９と、データを一時的に記憶するＲＡＭ１０と、電源が切断されても記憶内容を保持可能なＥＥＰＲＯＭ１１と、閲覧端末１全体に電力を供給するシステム電源３０の入り切りをシステム電源スイッチ２０の制御により管理する電源制御部１２とが接続している。なお、電源制御部１２は、システム電源３０とは別の電源（図示外）から電力の供給を受けており、電池の挿入、取り出しを検知する電池挿入センサ１３及びキー８を接続している。これにより電源制御部１２は、電池挿入やキー入力を検知することができる。なお、システム電源は、電池が接続された際にはオフとされている。
【００３４】
ここで、電気泳動表示部４の物理的構成の概略について、図面を参照して説明する。図３〜図５に示すように電気泳動表示部４は、その下面部分に設けられる下部基板５０と、その上面部分に設けられる上部基板６０とが対向配置され、下部基板５０と上部基板６０との間に表示部７０を備える。尚、Ａ−Ａ´線は、閲覧端末１の横方向（図１の左右方向）に平行な線を示し、Ｂ−Ｂ´線は、縦方向（図１の上下方向）に平行な線を示す。尚、図３〜図５では、説明しやすいように、画素数を５×４の２０個としているが、実際には、必要に応じた画素数を設けることができる。
【００３５】
下部基板５０は、表示部７０に電界を発生させる下部電極５２と、下部電極５２の上面側に絶縁材料を塗布等して形成した絶縁膜である下部電極保護膜５１と、下部電極５２の下面側に設けられて閲覧端末１を支持する筐体支持部５３とを備える。下部電極保護膜５１は、ポリエチレンテレフタレートやシリカ等の樹脂フィルムやガラスなどの無機材料等の高い絶縁性を発揮可能な材料により形成される。尚、本実施の形態では、下部電極保護膜５１及び筐体支持部５３は、可撓性のあるポリエチレンテレフタレートにより構成されたプラスチック基板（樹脂フィルム）である。また、下部電極５２は、一定の電圧が印加されるように線状の電気導電体が横方向（Ａ−Ａ´線方向）に平行に配設された、複数の電極を具備する基板である。
【００３６】
下部基板５０の上方向（図３，３の上方向）には、下部基板５０に対向して、かつ平行に所定間隔を空けて上部基板６０が設けられる。上部基板６０は、表示部７０に電界を発生させる上部電極６２と、上部電極６２の下面側に絶縁材料を塗布等して形成した絶縁膜である上部電極保護膜６１と、上部電極６２の上面側に設けられて透明な部材により構成されて表示画面として機能する表示層６３とを備える。上部電極保護膜６１はポリイミド，ポリエチレンテレフタレート，ガラスなどの高い透明性を発揮可能な材料により形成される。また、上部電極６２は、一定の電圧が印加されるように線状の電気導電体が縦方向（Ｂ−Ｂ´線方向）に平行に配設された、複数の電極を具備する基板であり、かつ高い透明性を発揮可能な材料により構成される。本実施の形態では、上部電極保護膜６１はポリエチレンテレフタレートにより構成されたプラスチック基板（樹脂フィルム）である。また、上部電極６２は酸化インジウムすず（ＩＴＯ）により形成された透明電極であり、表示層６３はガラス基板である。つまり、上部基板６０は透明体であるから、利用者が上部基板６０の上方向（図２上方向）から表示部７０を視認可能な表示基板として機能する。
【００３７】
次に、表示部７０について説明する。対向して設けられる下部基板５０及び上部基板６０と、スペーサー７１とで形成される間隙が、表示部７０である。スペーサー７１は、下部基板５０及び上部基板６０との間隙に架設され、その間隙を格子状に均等に分割して複数の小区画セルを形成するとともに、下部基板５０及び上部基板６０を支持する。スペーサー７１は、格子状に複数の貫通孔が形成された板状部材として構成された可撓性部材であり、例えばポリイミドやポリエチレンテレフタレートなどの合成樹脂で構成されればよい。
【００３８】
また、表示部７０の内部には、帯電粒子３３ａ，３３ｂ及び分散媒３４が充填される。帯電粒子３３ａ，３３ｂは、分散媒３４中において帯電可能な材料が用いられ、有機化合物や無機化合物からなる顔料や染料、もしくは顔料や染料を合成樹脂で包んだものからなる。本実施の形態では、帯電粒子３３ａはスチレン樹脂と二酸化チタンの混合物で、平均粒子径が５μｍのもの（７ｗｔ％）であって、粒子中の二酸化チタンの量が４０ｗｔ％のものを使用する。また、帯電粒子３３ｂはスチレン樹脂とカーボンブラックの混合物で、平均粒子径が５μｍのもの（１０ｗｔ％）であって、粒子中のカーボンブラックの量が３０ｗｔ％のものを使用する。そのため、帯電粒子３３ａは白色の色調であり、帯電粒子３３ｂは黒色の色調である。また、帯電粒子３３ａと帯電粒子３３ｂとは正あるいは負に相異なるように帯電しており、ここでは帯電粒子３３ａが負に、帯電粒子３３ｂが正に帯電しているものとする。
【００３９】
一方、分散媒３４としては、高絶縁性を発揮可能で、かつ粘性の低い、アルコール類，炭化水素，シリコーンオイルなどを利用できる。本実施の形態では、パラフィン系溶剤であるエクソンモービル社製Ｉｓｏｐａｒ（７３ｗｔ％）を使用する。尚、分散媒３４には添加剤としてエタノール（１０ｗｔ％）が加えられている。
【００４０】
また、上部基板６０の上面（下部基板５０と対向しない面）には、正面視、小区画セルが存在しない表示部７０の周縁部を、利用者が視認できないように隠蔽するためのマスク部４０が設けられる。マスク部４０は、上部基板６０の四辺に沿って一定幅で設けられ、表示部７０を利用者が視認できるように貫通孔が設けられたロの字型形状の板状部材であり、ポリエチレンテレフタレートなどの合成樹脂を着色したものを接着したり、表示層６３の表面に印刷したインク層で形成したりすればよい。そして、電気泳動表示部４をその上方から見ると、マスク部４０に設けられた貫通孔から、表示部７０を視認することができる構成となっている。
【００４１】
次に、ＲＡＭ１０及びＥＥＰＲＯＭ１１に設けられている記憶エリアについて説明する。ＲＡＭ１０には、前回表示データ記憶エリア１００１、現在表示データ記憶エリア１００２、ページデータ展開エリア１００３、その他の記憶エリア１００４等が設けられている。そして、ＥＥＰＲＯＭ１１には、表示中文書ＩＤ記憶エリア１１０８、表示中ページ数記憶エリア１１０９等が設けられている。
【００４２】
ページデータ展開エリア１００３には、メモリカード６から読み出された文書のテキスト、画像、図形等が座標情報に展開されて記憶される。この座標情報は、テキスト、画像、図形等の電気泳動表示部４における配置位置を示すものである。そして、座標情報に基づいて電気泳動表示部４を制御するための画素情報が作成され現在表示データ記憶エリア１００２に記憶される。この画素情報は電気泳動表示部４の小区画セルごとに表示（黒）、非表示（白）を指定するための情報である。なお、画素情報を現在表示データ記憶エリア１００２に記憶させる際には、その前に、現在表示データ記憶エリア１００２に記憶されている画素情報が前回表示データ記憶エリア１００１に記憶される。なお、その他の記憶エリア１００４は、閲覧端末１において行われる種々の処理で使用されるワークの記憶エリアとして使用される。
【００４３】
表示制御部３へ各小区画セルへの電圧の制御の指示は、前回表示データ記憶エリア１００１に記憶されている画素情報及び現在表示データ記憶エリア１００２に記憶されている画素情報に基づいて行われる。具体的には、前回表示データ記憶エリア１００１には、現在、電気泳動表示部４に表示されている内容の画素情報が記憶されており、現在表示データ記憶エリア１００２には、これから表示する内容の画素情報が記憶されている。そこで、現在表示データ記憶エリア１００２に記憶されている画素情報において、前回の画素情報と現在の画素情報が同じである小区画セルへの指示は行われず、前回の画素情報において「表示（黒）」とされており、現在の画素情報において「非表示（白）」とされていたり、前回の画素情報において「非表示（白）」とされており、現在の画素情報において「表示（黒）」とされていたりというように前回の画素情報と現在の画素情報とが異なる小区画セルへの指示が行われる。表示制御部３では、表示（黒）と指定されている小区画セルの上部電極６２が正となり帯電粒子３３ｂを上部電極６２側に帯電させ、非表示（白）と指定されている小区画セルの上部電極６２が負となり帯電粒子３３ａを上部電極６２側に帯電させるような電圧の制御が行われる。
【００４４】
また、ＥＥＰＲＯＭ１１の表示中文書ＩＤ記憶エリア１１０８には、「表示状態情報」の「データファイル識別情報」として、電気泳動表示部４に表示している文書を示すＩＤが記憶されている。この表示状態情報に基づいてメモリカード６に記憶されている文書を読み出すことができる。この表示中文書ＩＤは、あらかじめ文書ごとに付与されており、メモリカード６においてＩＤに対応して文書の電気泳動表示部４で表示させるためのデータが記憶されている。この文書のデータはページ単位で構成されている。なお、「表示状態情報」の「データファイル識別情報」はＩＤでなく、メモリカード６内に記憶されている文書のファイル名、メモリカード６内のファイルを指定するためのパスなどであってもよい。また、電気泳動表示部４に表示される文書はメモリカード６内に記憶されているものだけでなく、ＥＥＰＲＯＭ１１やＲＯＭ９に記憶されているものであってもよい。そして、表示中ページ数記憶エリア１１０９には、「表示状態情報」の「表示開始情報」として、電気泳動表示部４に表示されている文書のページ数が記憶される。
【００４５】
次に、図６及び図７を参照して、閲覧端末１の動作について説明する。この動作は閲覧端末１に電池が接続されると開始される。まず、電源制御部１２によりシステム電源スイッチ２０がオンされて、システム電源３０が接続される（Ｓ２）。そして、ＣＰＵ２において表示中文書ＩＤ記憶エリア１１０８に「１」、表示中ページ数記憶エリア１１０９に「１」が初期値として記憶され（Ｓ３）、前回表示データ記憶エリア１００１及び現在表示データ記憶エリア１００２がすべて「白」とされ（Ｓ４）、電気泳動表示部４のすべての小区画セルを「白」とする指示が表示制御部３へ行われる（Ｓ５）。なお、ここで、入力なし時間カウンタの値が「０」に初期化される。この入力なし時間カウンタは、キー８への入力が行われない時間を計測するためのタイマカウンタであり、ＣＰＵ２に接続した図示外の計時手段からの信号に基づいてカウントアップされる。
【００４６】
そして、ＣＰＵ２において表示中文書ＩＤ記憶エリア１１０８に記憶されているＩＤ（１）の文書の、表示中ページ数記憶エリア１１０９に記憶されているページ数（１）のデータがメモリカード６から読み出され、その座標情報がページデータ展開エリア１００３に展開される（Ｓ６）。そして、現在表示データ記憶エリア１００２の内容が前回表示データ記憶エリア１００１にコピーされ（Ｓ７）、ページデータ展開エリア１００３に記憶されている座標情報に基づいて画素情報が作成されて、現在表示データ記憶エリア１００２に記憶される（Ｓ８）。そして、ＣＰＵ２において現在表示データ記憶エリア１００２に記憶されている画素情報の画像が電気泳動表示部４に表示される（Ｓ９）。具体的には、現在表示データ記憶エリア１００２に記憶されている画素情報及び前回表示データ記憶エリア１００１に記憶されている画素情報を比較し、異なる小区画セルについてのみ現在表示データ記憶エリア１００２の画素情報に基づいた制御の指示が表示制御部３に対して行われる。
【００４７】
そして、ＣＰＵ２においてキー８からの入力が行われたか否かの判断が行われる（Ｓ１０）。キー８からの入力が行われていれば（Ｓ１０：ＹＥＳ）、ＣＰＵ２においてキーに応じた処理が行われる（Ｓ１７、図７参照）。
【００４８】
図７に示すように、キーに応じた処理では、まず、前文書の表示へ切り替える指示が行われる上キー８１が押下されたか否かの判断が行われる（Ｓ２１）。上キー８１が押下されていれば（Ｓ２１：ＹＥＳ）、表示文書ＩＤ記憶エリア１１０８の値を「１」減算し、表示中ページ数記憶エリア１１０９に「１」が記憶される（Ｓ２２）。そして、キー８の入力が行われていない時間を計測するための入力なし時間カウンタの値が「０」に初期化される（Ｓ２９）。そして、メイン動作へ戻る。また、まず、前文書の表示へ切り替える指示が行われる上キー８１が押下されていなければ（Ｓ２１：ＮＯ）、前頁の表示へ切り替える指示が行われる左キー８３が押下されたか否かの判断が行われる（Ｓ２３）。左キー８３が押下されていれば（Ｓ２３：ＹＥＳ）、表示中ページ数記憶エリア１１０９の値が「１」減算される（Ｓ２４）。そして、キー８の入力が行われていない時間を計測するための入力なし時間カウンタの値が「０」に初期化される（Ｓ２９）。そして、メイン動作へ戻る。
【００４９】
また、前頁の表示へ切り替える指示が行われる左キー８３が押下されていなければ（Ｓ２３：ＮＯ）、次頁の表示へ切り替える指示が行われる右キー８４が押下されたか否かの判断が行われる（Ｓ２５）。右キー８４が押下されていれば（Ｓ２５：ＹＥＳ）、表示中ページ数記憶エリア１１０９の値が「１」減算される（Ｓ２６）。そして、キー８の入力が行われていない時間を計測するための入力なし時間カウンタの値が「０」に初期化される（Ｓ２９）。そして、メイン動作へ戻る。また、次頁の表示へ切り替える指示が行われる右キー８４が押下されていなければ（Ｓ２５：ＮＯ）、次文書の表示へ切り替える指示が行われる下キー８２が押下されたか否かの判断が行われる（Ｓ２７）。下キー８２が押下されていれば（Ｓ２７：ＹＥＳ）、表示中ページ数記憶エリア１１０９の値が「１」減算される（Ｓ２８）。そして、キー８の入力が行われていない時間を計測するための入力なし時間カウンタの値が「０」に初期化される（Ｓ２９）。そして、メイン動作のＳ６へ戻る。
【００５０】
そして、メイン動作へ戻った後には、ＣＰＵ２において表示中文書ＩＤ記憶エリア１１０８に記憶されているＩＤの文書の、表示中ページ数記憶エリア１１０９に記憶されているページ数のデータ、すなわち、キー８の入力により指示された文書のページがメモリカード６から読み出され、その座標情報がページデータ展開エリア１００３に展開され（Ｓ６）、現在表示データ記憶エリア１００２の内容が前回表示データ記憶エリア１００１にコピーされ（Ｓ７）、ページデータ展開エリア１００３に記憶されている座標情報に基づいて画素情報が作成されて、現在表示データ記憶エリア１００２に記憶され（Ｓ８）、ＣＰＵ２において現在表示データ記憶エリア１００２に記憶されている画素情報の画像が電気泳動表示部４に表示される（Ｓ９）。
【００５１】
また、メイン動作において、ＣＰＵ２において、キー８からの入力を受け付けなければ（Ｓ１０：ＮＯ）、入力なし時間カウンタの値が所定時間（５秒）以上であるか否かにより、キー入力が所定時間（５秒）以上なかったか否かの判断が行われる（Ｓ１１）。入力なし時間カウンタが所定時間（５秒）以上でなければ（Ｓ１１：ＮＯ）、所定時間（５秒）以上入力がなかったと判断されず、Ｓ１０へ戻り、キー８からの入力の判断が行われる。このようにして、繰り返しＳ１０，Ｓ１１の処理が行われ、キー８からの入力のない時間が所定時間（５秒）以上となったら（Ｓ１１：ＹＥＳ）、ＣＰＵ２から電源制御部１２へシステム電源３０を切断する旨の指示が行われ、電源制御部１２によりシステム電源スイッチ２０がオフされてシステム電源３０が切断される（Ｓ１２）。この処理は本発明の要部である。キー８の入力が所定時間（５秒）以上ないということは、閲覧端末１の操作者が閲覧端末１の操作を行っていないと考えられる。すなわち、キー操作が行われなければ、電気泳動表示部４の表示内容の切替も行われない。そして、閲覧端末１の表示部は電源が断たれても表示内容を保持できる電気泳動方式の表示部である。したがって、システム電源３０が切断されても、表示されている情報を閲覧している操作者に対して問題が生じることはない。さらに、電源が切断されても記憶内容を保持可能な不揮発性のメモリであるＥＥＰＲＯＭ１１に表示中文書ＩＤ及び表示中ページ数が記憶されているので、次にシステム電源がオンとされた際において、現在どの文書のどのＩＤが記憶されているかを認識することができる。そこで、所定時間（５秒）以上キー入力がない場合に（Ｓ１１：ＹＥＳ）、システム電源３０を切断する（Ｓ１２）。
【００５２】
そして、電源制御部１２がキー８からの入力を検知すると（Ｓ１３：ＹＥＳ）、システム電源スイッチ２０がオンされて、システム電源３０が接続される（Ｓ１４）。そして、ＣＰＵ２をはじめとする各機能が立ち上がり、ＣＰＵ２において表示中文書ＩＤ記憶エリア１１０８に記憶されているＩＤの文書の、表示中ページ数記憶エリア１１０９に記憶されているページ数のデータがメモリカード６から読み出され、その座標情報がページデータ展開エリア１００３に展開される（Ｓ１５）。そして、ＣＰＵ２において、ページデータ展開エリア１１０１に、ページデータ展開エリア１００３に記憶されている座標情報に基づいて画素情報が作成されて、現在表示データ記憶エリア１００２に記憶される（Ｓ１６）。このようにして、キー８が操作されると、閲覧端末１のシステム全体に電力が供給され、キー操作に応じた処理が行われるようになる。
【００５３】
そして、Ｓ１３にて検知されたキー８の入力に応じた処理が行われて（Ｓ１７、図４参照）、Ｓ６へ戻り、キー８の入力により指示された文書のページが電気泳動表示部４に表示されることとなる（Ｓ６〜Ｓ９）。
【００５４】
以上のような処理が繰り返し実施され、キー操作の行われないときにはシステム電源が断たれているので、省電力化を図ることができる。さらに、再度電力の供給が行われた際にはどの文書のどのページを表示しているかの情報は、不揮発性のＥＥＰＲＯＭ１１に記憶されているので、現在、電気泳動表示部４に表示されているデータに対して、次文書、前文書、次頁、前頁の表示を行うことができる。
【００５５】
なお、上記実施の形態の電気泳動表示部４が「不揮発性表示手段」に該当し、キー８が「入力手段」に該当し、電源制御部１２及びシステム電源スイッチ２０が「第一電源切替手段」に相当し、入力なし時間カウンタが「未入力時間計測手段」に該当し、Ｓ１１の処理を実行するＣＰＵ２が「未入力時間判断手段」に相当し、Ｓ１１，Ｓ１２の処理を実行するＣＰＵ２及び電源制御部１２が「第一電源切断制御手段」に相当し、Ｓ１３，Ｓ１４の処理を実行する電源制御部１２が「第一電源接続制御手段」に相当し、ＥＥＰＲＯＭ１１が「表示状態情報記憶手段」に該当し、システム電源３０が「電源」に該当し、表示中文書ＩＤ，表示中ページ数が「表示状態情報」に該当する。そして、前回表示データ記憶エリア１０４１が「前回画素情報記憶手段」に該当し、図６に示すメイン動作のＳ７の処理を行うＣＰＵ２が「画素情報移行手段」に相当する。
【００５６】
次に、図８乃至図１０を参照して、第二の実施の形態について説明する。図８は、閲覧端末１００の電気的構成を示すブロック図であり、図９は、閲覧端末１００のメイン動作を示すフローチャートであり、図１０は、メイン動作の中で実施される表示処理のフローチャートである。なお、本実施の形態の閲覧端末１００の外観は第一の実施の形態の閲覧端末１の外観と同様であるので、図１及び説明を引用して省略する。なお、図１における閲覧端末１は閲覧端末１００、電気泳動表示部４は電気泳動表示部１０４、キー８はキー１０８、上キー８１は上キー１８１、下キー８２は下キー１８２、左キー８３は左キー１８３、右キー８４は右キー１８４とする。また、図９に示すメイン動作のフローチャートの中で実施されるキーに応じた処理についても、第一の実施の形態で使用した図７のフローチャートを引用する。
【００５７】
まず、図８を参照して、第二の実施の形態の閲覧端末１００の電気的構成について説明する。図８に示すように、閲覧端末１００には、閲覧端末１００を制御するＣＰＵ１０２が設けられている。そして、ＣＰＵ１０２には、電気泳動表示部１０４に接続され、電気泳動表示部１０４への表示内容を制御する表示制御部１０３と、携帯型の外部メモリであるメモリカード１０６を接続可能なメモリカードインタフェイス（以下、Ｉ／Ｆと略す）１０５と、キー１０８に接続され、キー１０８からの入力を制御するキーＩ／Ｆ１０７と、ＣＰＵ１０２が実行するプログラム等を記憶したＲＯＭ１０９と、データを一時的に記憶するＲＡＭ１１０、常時動作ＲＡＭ１１１とが接続している。
【００５８】
ここで、閲覧端末１００における電力供給の系統について説明する。電気泳動表示部１０４は表示部電源１３０から電力の供給を受けており、ＲＡＭ１１０はＲＡＭ電源１３１から電力の供給を受けており、ＣＰＵ１０２及び常時動作ＲＡＭ１１１をはじめとするその他の機器については、システム電源（図示外）から電力の供給を受けている。電気泳動表示部１０４は、表示部電源スイッチ１２０を介して表示部電源１３０に接続しており、この表示部電源スイッチ１２０はＣＰＵ１０２の制御により入り切りが行われる。また、ＲＡＭ１１０は、ＲＡＭ電源スイッチ１２１を介してＲＡＭ電源１３１に接続しており、このＲＡＭ電源スイッチ１２１もＣＰＵ１０２の制御により入り切りが行われる。なお、表示部電源スイッチ１２０及びＲＡＭ電源スイッチ１２１は電池が接続された際にはオフとされている。
【００５９】
そして、電気泳動表示部１０４には、前回表示データ記憶エリア１０４１及び現在表示データ記憶エリア１０４２が設けられており、ＲＡＭ１１０にはページデータ展開エリア１１０１及びその他の記憶エリア１１０２が設けられており、常時動作ＲＡＭ１１１には表示中文書ＩＤ記憶エリア１１１１及び表示中ページ数記憶エリア１１１２が設けられている。なお、各記憶エリアに記憶される内容は、第一の実施の形態と同様であり、その記憶エリアが設けられている機器が異なる。
【００６０】
次に、図９及び図１０を参照して、閲覧端末１００の動作について説明する。この動作は閲覧端末１００に電池が接続されると、システム電源から電力が供給されてＣＰＵ１０２において開始される。まず、ＲＡＭ電源スイッチ１２１がオンされて、ＲＡＭ電源１３１が接続される（Ｓ１０１）。そして、常時作動ＲＡＭ１１１の表示中文書ＩＤ記憶エリア１１１１に「１」、表示中ページ数記憶エリア１１１２に「１」が初期値として記憶される（Ｓ１０２）。そして、Ｓ１０４，Ｓ１０５にて、電気泳動表示部１０４にすべて「白」の表示をするために、電気泳動表示部１０４を起動する必要がある。そこで、表示部電源スイッチ１２０がオンされて、表示部電源１３０が接続される（Ｓ１０３）。そして、電気泳動表示部１０４に設けられている前回表示データ記憶エリア１０４１及び現在表示データ記憶エリア１０４２がすべて「白」とされる（Ｓ１０４）。そして、電気泳動表示部１０４のすべての小区画セルを「白」とする指示が表示制御部１０３へ行われる（Ｓ１０５）。なお、ここで、入力なし時間カウンタの値が「０」に初期化される。この入力なし時間カウンタは、キー１０８への入力が行われない時間を計測するためのタイマカウンタであり、ＣＰＵ１０２に接続した図示外の計時手段からの信号に基づいてカウントアップされる。
【００６１】
そして、表示処理が行われる（Ｓ１０６、図１０参照）。図１０に示すように、表示処理では表示中文書ＩＤ記憶エリア１１１１に記憶されているＩＤ（１）の文書の、表示中ページ数記憶エリア１１１２に記憶されているページ数（１）のデータがメモリカード１０６から読み出され、その座標情報がページデータ展開エリア１１０１に展開される（Ｓ１２１）。そして、現在表示データ記憶エリア１０４２の内容が前回表示データ記憶エリア１０４１にコピーされ（Ｓ１２２）、ページデータ展開エリア１１０１に記憶されている座標情報に基づいて画素情報が作成されて、現在表示データ記憶エリア１０４２に記憶される（Ｓ１２３）。そして、現在表示データ記憶エリア１０４２に記憶されている画素情報の画像が電気泳動表示部１０４に表示される（Ｓ１２４）。具体的には、現在表示データ記憶エリア１０４２に記憶されている画素情報及び前回表示データ記憶エリア１０４１に記憶されている画素情報を比較し、異なる小区画セルについてのみ現在表示データ記憶エリア１０４２の画素情報に基づいた制御の指示が表示制御部１０３に対して行われる。そして、メイン動作へ戻る。
【００６２】
そして、キー１０８からの入力が行われたか否かの判断が行われる（Ｓ１１０）。キー１０８からの入力が行われていれば（Ｓ１１０：ＹＥＳ）、キーに応じた処理が行われる（Ｓ１１８、図４参照）。キーに応じた処理は、第一の実施の形態と同様であるので、引用して説明を省略する。ただし、本第二の実施の形態では、表示文書ＩＤ記憶エリア１１１１及び表示中ページ数記憶エリア１１１２は常時作動ＲＡＭ１１１に設けられている。
【００６３】
そして、メイン動作へ戻った後には、表示中文書ＩＤ記憶エリア１１１１に記憶されているＩＤの文書の、表示中ページ数記憶エリア１１１２に記憶されているページ数のデータ、すなわち、キー１０８の入力により指示された文書のページがメモリカード１０６から読み出され、その座標情報がページデータ展開エリア１１０１に展開され（Ｓ１２１）、現在表示データ記憶エリア１０４２の内容が前回表示データ記憶エリア１０４１にコピーされ（Ｓ１２２）、ページデータ展開エリア１１０１に記憶されている座標情報に基づいて画素情報が作成されて、現在表示データ記憶エリア１０４２に記憶され（Ｓ１２３）、現在表示データ記憶エリア１０４２に記憶されている画素情報の画像が電気泳動表示部１０４に表示される（Ｓ１２４）。
【００６４】
また、メイン動作において、キー１０８からの入力を受け付けなければ（Ｓ１１０：ＮＯ）、入力なし時間カウンタの値が所定時間（５秒）以上であるか否かにより、キー入力が所定時間（５秒）以上なかったか否かの判断が行われる（Ｓ１１１）。入力なし時間カウンタが所定時間（５秒）以上でなければ（Ｓ１１１：ＮＯ）、所定時間（５秒）以上入力がなかったと判断されず、Ｓ１１０へ戻り、キー１０８からの入力の判断が行われる。このようにして、繰り返しＳ１１０，Ｓ１１１の処理が行われ、キー１０８からの入力のない時間が所定時間（５秒）以上となったら（Ｓ１１１：ＹＥＳ）、ＲＡＭ電源スイッチ１２１が「切」とされてＲＡＭ電源１３１と切断され、かつ、表示部電源スイッチ１２０が「切」とされて表示部電源１３０が切断される（Ｓ１１２）。この処理は本発明の要部である。キー１０８の入力が所定時間（５秒）以上ないということは、閲覧端末１００の操作者が閲覧端末１００の操作を行っていないと考えられる。すなわち、キー操作が行われなければ、電気泳動表示部１０４の表示内容の切替も行われない。そして、閲覧端末１００の表示部は電源が断たれても表示内容を保持できる電気泳動法の表示部である。したがって、表示部電源１３０が切断されても表示されている情報を閲覧している操作者に対して問題が生じることはない。また、表示の切替が行われないので、電気泳動表示部１０４に情報を表示する際に使用されるページデータ展開エリア１１０１が設けられているＲＡＭ１１０や電気泳動表示部１０４自体に電力が投入されている必要はない。そこで、所定時間（５秒）以上キー入力がない場合に（Ｓ１１１：ＹＥＳ）、ＲＡＭ電源１３１を切断する（Ｓ１１２）。
【００６５】
そして、キー１０８からの入力を検知すると（Ｓ１１３：ＹＥＳ）、まずＲＡＭ電源スイッチ１２１がオンされて、ＲＡＭ電源１３１が接続される（Ｓ１１４）。このように、キー入力が行われていない際にはＲＡＭ電源１３１が切断されているので省電力化を図ることができる。そして、ページデータ展開エリア１１０１及びその他の記憶エリア１１０２が設けられているＲＡＭ１１０が立ち上がり、表示中文書ＩＤ記憶エリア１１１１に記憶されているＩＤの文書の、表示中ページ数記憶エリア１１１２に記憶されているページ数のデータがメモリカード１０６から読み出され、その座標情報がページデータ展開エリア１１０１に展開される（Ｓ１１５）。そして、表示部電源スイッチ１２０がオンとされて、表示部電源１３０が接続される（Ｓ１１６）。すると、ページデータ展開エリア１００３に記憶されている座標情報に基づいて画素情報が作成されて、現在表示データ記憶エリア１００２に記憶される（Ｓ１１７）。
【００６６】
そして、Ｓ１１８にて検知されたキー１０８の入力に応じた処理が行われて（Ｓ１１７、図４参照）、Ｓ１０６へ戻り、キー１０８の入力により指示された文書のページが電気泳動表示部１０４に表示されることとなる（Ｓ１１８、表示処理）。
【００６７】
以上のような処理が繰り返し実施され、必要のないときにはＲＡＭ電源１３１及び表示部電源１３０が断たれているので、省電力化を図ることができる。さらに、再度電力の供給が行われた際にはどの文書のどのページを表示しているかの情報は、システム電源から電力の供給が行われている常時動作ＲＡＭ１１１に記憶されているので、現在、電気泳動表示部４に表示されているデータに対して、次文書、前文書、次頁、前頁の表示を行うことができる。
【００６８】
なお、電気泳動表示部１０４が「不揮発性表示手段」に該当し、ＲＡＭ１１０が「記憶手段」に該当し、キー１０８が「入力手段」に該当し、入力なし時間カウンタが「未入力時間計測手段」に該当し、図９に示すメイン動作のＳ１１１の処理を実行するＣＰＵ１０２が「未入力時間判断手段」に相当する。そして、図１０に示す表示処理のＳ１２１、図９に示すメイン動作のＳ１１５の処理を行うＣＰＵ１０２が「座標情報変換手段」に相当し、ＲＡＭ１１０のページデータ展開エリア１１０１が「座標情報記憶手段」に相当し、図１０に示す表示処理のＳ１２３、図９に示すメイン動作のＳ１１７の処理を行うＣＰＵ１０２が「画素情報変換手段」に相当し、電気泳動表示部１０４に設けられている現在表示データ記憶エリア１０４２が「画素情報記憶手段」に該当する。そして、図９に示すメイン動作のＳ１０５，図１０に示す表示処理のＳ１２４の処理を行うＣＰＵ１０２が「表示制御手段」に相当し、常時作動ＲＡＭ１１１に設けられている表示中文書ＩＤ記憶エリア１１１１及び表示中ページ数記憶エリア１１１２が「表示状態情報記憶手段」に該当する。
【００６９】
そして、ＲＡＭ電源１３１が「記憶電源」に該当し、ＲＡＭ電源スイッチ１２１が「記憶電源切替手段」に該当し、図９に示すメイン動作のＳ１１１，Ｓ１１２の処理を行うＣＰＵ１０２が「記憶電源切断制御手段」に相当し、Ｓ１１４の処理を行うＣＰＵ１０２が「記憶電源接続制御手段」に相当し、常時作動ＲＡＭ１１１をシステム電源に接続していることがが「維持手段」に該当し、表示部電源１３０が「表示電源」に該当し、表示部電源スイッチ１２０が「表示電源切替手段」に該当し、図９に示すメイン動作のＳ１１２の処理を行うＣＰＵ１０２が「表示電源切断制御手段」に相当し、Ｓ１１６の処理を行うＣＰＵ１０２が「表示電源接続制御手段」に相当する。そして、前回表示データ記憶エリア１０４１が「前回画素情報記憶手段」に該当し、図１０に示す表示処理のＳ７の処理を行うＣＰＵ１０２が「画素情報移行手段」に相当する。
【００７０】
次に、図１１乃至図１３を参照して、第三の実施の形態について説明する。図１１は、閲覧端末２００の電気的構成を示すブロック図であり、図１２は、閲覧端末２００のメイン動作を示すフローチャートであり、図１３は、メイン動作の中で実施されるキー入力なし処理のフローチャートである。なお、本実施の形態の閲覧端末２００の外観は第一の実施の形態の閲覧端末１の外観と同様であるので、図１及び説明を引用して省略する。なお、図１における閲覧端末１は閲覧端末２００、電気泳動表示部４は電気泳動表示部２０４、キー８はキー２０８、上キー８１は上キー２８１、下キー８２は下キー２８２、左キー８３は左キー２８３、右キー８４は右キー２８４とする。また、図１２に示すメイン動作のフローチャートの中で実施されるキーに応じた処理についても、第一の実施の形態で使用した図７のフローチャートを引用する。
【００７１】
まず、図１１を参照して、第三の実施の形態の閲覧端末２００の電気的構成について説明する。図１１に示すように、閲覧端末２００には、閲覧端末２００を制御するＣＰＵ２０２が設けられている。そして、ＣＰＵ２０２には、電気泳動表示部２０４に接続され、電気泳動表示部２０４への表示内容を制御する表示制御部２０３と、携帯型の外部メモリであるメモリカード２０６を接続可能なメモリカードインタフェイス（以下、Ｉ／Ｆと略す）２０５と、キー２０８に接続され、キー２０８からの入力を制御するキーＩ／Ｆ２０７と、ＣＰＵ２０２が実行するプログラム等を記憶したＲＯＭ２０９と、データを一時的に記憶するＲＡＭ２１０、常時動作ＲＡＭ２１１とが接続している。
【００７２】
ここで、閲覧端末２００における電力供給の系統について説明する。第三の実施の形態の閲覧端末２００は、第二の実施の形態の閲覧端末１００と同様に、電気泳動表示部２０４は表示部電源２３０から電力の供給を受けており、ＲＡＭ２１０はＲＡＭ電源２３１から電力の供給を受けており、ＣＰＵ２０２及び常時動作ＲＡＭ２１１をはじめとするその他の機器については、システム電源（図示外）から電力の供給を受けている。電気泳動表示部２０４は、表示部電源スイッチ２２０を介して表示部電源２３０に接続しており、この表示部電源スイッチ２２０はＣＰＵ２０２の制御により入り切りが行われる。また、ＲＡＭ２１０は、ＲＡＭ電源スイッチ２２１を介してＲＡＭ電源２３１に接続しており、このＲＡＭ電源スイッチ２２１もＣＰＵ２０２の制御により入り切りが行われる。なお、表示部電源スイッチ２２０及びＲＡＭ電源スイッチ２２１は電池が接続された際にはオフとされている。
【００７３】
そして、ＲＡＭ２１０には前回表示データ記憶エリア２１０１、現在表示データ記憶エリア２１０２、ページデータ展開エリア２１０３、その他の記憶エリア２１０４が設けられており、常時動作ＲＡＭ２１１には表示中文書ＩＤ記憶エリア２１１１及び表示中ページ数記憶エリア２１１２が設けられている。なお、各記憶エリアに記憶される内容は、第一の実施の形態と同様であり、その記憶エリアが設けられている機器が異なる。
【００７４】
次に、図１２及び図１３を参照して、閲覧端末２００の動作について説明する。この動作も第二の実施の形態と同様に、閲覧端末２００に電池が接続されると、システム電源から電力が供給されてＣＰＵ２０２において開始される。まず、ＲＡＭ電源スイッチ２２１がオンされて、ＲＡＭ電源２３１が接続される（Ｓ２０２）。そして、常時作動ＲＡＭ２１１の表示中文書ＩＤ記憶エリア２１１１に「１」、表示中ページ数記憶エリア２１１２に「１」が初期値として記憶される（Ｓ２０３）。そして、電気泳動表示部２０４に設けられている前回表示データ記憶エリア２１０１及び現在表示データ記憶エリア２１０２がすべて「白」とされる（Ｓ２０４）。そして、Ｓ２０６にて、電気泳動表示部２０４にすべて「白」の表示をするために、電気泳動表示部２０４を起動する必要がある。そこで、表示部電源スイッチ２２０がオンされて、表示部電源２３０が接続される（Ｓ２０５）。そして、電気泳動表示部２０４のすべての小区画セルを「白」とする指示が表示制御部２０３へ行われる（Ｓ２０６）。そして、電気泳動表示部２０４への表示動作は終了したので、表示部電源スイッチ２２０がオフされて、表示部電源２３０は切断される（Ｓ２０７）。このように、表示部電源２３０は、電気泳動表示部２０４を動作させるときのみ接続されるので、動作しない際には切断されており、省電力化を図ることができる。なお、ここで、入力なし時間カウンタの値が「０」に初期化される。この入力なし時間カウンタは、キー２０８への入力が行われない時間を計測するためのタイマカウンタであり、ＣＰＵ２０２に接続した図示外の計時手段からの信号に基づいてカウントアップされる。
【００７５】
そして、常時動作ＲＡＭ２１１の表示中文書ＩＤ記憶エリア２１１１に記憶されているＩＤ（１）の文書の、表示中ページ数記憶エリア２１１２に記憶されているページ数（１）のデータがメモリカード２０６から読み出され、その座標情報がページデータ展開エリア２１０３に展開される（Ｓ２０８）。そして、現在表示データ記憶エリア２１０２の内容が前回表示データ記憶エリア２１０１にコピーされ（Ｓ２０９）、ページデータ展開エリア２１０３に記憶されている座標情報に基づいて画素情報が作成されて、現在表示データ記憶エリア２１０２に記憶される（Ｓ２１０）。そして、電気泳動表示部２０４へ情報が表示されるので、電気泳動表示部２０４を起動させるために、表示部電源スイッチ２２０がオンされて、表示部電源２３０が接続される（Ｓ２１１）。そして、現在表示データ記憶エリア２１０２に記憶されている画素情報の画像が電気泳動表示部２０４に表示される（Ｓ２１２）。具体的には、現在表示データ記憶エリア２１０２に記憶されている画素情報及び前回表示データ記憶エリア２１０１に記憶されている画素情報を比較し、異なる小区画セルについてのみ現在表示データ記憶エリア２１０２の画素情報に基づいた制御の指示が表示制御部２０３に対して行われる。そして、電気泳動表示部２０４への表示動作は終了したので、表示部電源スイッチ２２０がオフされて、表示部電源２３０は切断される（Ｓ２１３）。ここでも、表示部電源２３０は電気泳動表示部２０４を動作させるときのみ接続されるので、動作しない際には切断されており、省電力化を図ることができる。
【００７６】
そして、キー２０８からの入力が行われたか否かの判断が行われる（Ｓ２１４）。キー２０８からの入力が行われていれば（Ｓ２１４：ＹＥＳ）、キーに応じた処理が行われる（Ｓ２１７、図７参照）。キーに応じた処理は、第一の実施の形態と同様であるので、引用して説明を省略する。ただし、本第三の実施の形態では、表示文書ＩＤ記憶エリア２１１１及び表示中ページ数記憶エリア２１１２は常時作動ＲＡＭ２１１に設けられている。
【００７７】
そして、メイン動作へ戻った後には、表示中文書ＩＤ記憶エリア２１１１に記憶されているＩＤの文書の、表示中ページ数記憶エリア２１１２に記憶されているページ数のデータ、すなわち、キー２０８の入力により指示された文書のページがメモリカード２０６から読み出され、その座標情報がページデータ展開エリア２１０３に展開され（Ｓ２０８）、現在表示データ記憶エリア２１０２の内容が前回表示データ記憶エリア２１０１にコピーされ（Ｓ２０９）、ページデータ展開エリア２１０３に記憶されている座標情報に基づいて画素情報が作成されて、現在表示データ記憶エリア２１０２に記憶され（Ｓ２１０）、表示部電源スイッチ２２０がオンされて、表示部電源２３０が接続され（Ｓ２１１）、現在表示データ記憶エリア２１０２に記憶されている画素情報の画像が電気泳動表示部２０４に表示される（Ｓ２２４）。そして、電気泳動表示部２０４への表示動作は終了したので、表示部電源スイッチ２２０がオフされて、表示部電源２３０は切断される（Ｓ２１３）。
【００７８】
また、メイン動作において、キー２０８からの入力を受け付けなければ（Ｓ２１４：ＮＯ）、入力なし時間カウンタの値が所定時間（５秒）以上であるか否かにより、キー入力が所定時間（５秒）以上なかったか否かの判断が行われる（Ｓ２１５）。入力なし時間カウンタが所定時間（５秒）以上でなければ（Ｓ２１５：ＮＯ）、所定時間（５秒）以上入力がなかったと判断されず、Ｓ２１４へ戻り、キー２０８からの入力の判断が行われる。このようにして、繰り返しＳ２１４，Ｓ２１５の処理が行われ、キー２０８からの入力のない時間が所定時間（５秒）以上となったら（Ｓ２１１：ＹＥＳ）、キー入力なし処理が行われる（Ｓ２１６、図１３参照）。
【００７９】
キー入力なし処理では、図１３に示すように、まず、ＲＡＭ電源スイッチ２２１が「切」とされてＲＡＭ電源２３１と切断される（Ｓ２２１）。この処理は本発明の要部である。キー２０８の入力が所定時間（５秒）以上ないということは、閲覧端末２００の操作者が閲覧端末２００の操作を行っていないと考えられる。すなわち、キー操作が行われなければ、電気泳動表示部２０４の表示内容の切替も行われない。よって、電気泳動表示部２０４に情報を表示する際に使用されるページデータ展開エリア２１０３が設けられているＲＡＭ２１０に電力が投入されている必要はない。そこで、所定時間（５秒）以上キー入力がない場合に（Ｓ２１５：ＹＥＳ）、ＲＡＭ電源２３１を切断する（Ｓ２２１）。
【００８０】
そして、キー２０８からの入力を検知すると（Ｓ２２２：ＹＥＳ）、まずＲＡＭ電源スイッチ２２１がオンされて、ＲＡＭ電源２３１が接続される（Ｓ２２３）。このように、キー入力が行われていない際にはＲＡＭ電源２３１が切断されているので省電力化を図ることができる。そして、ページデータ展開エリア２１０３及びその他の記憶エリア２１０４が設けられているＲＡＭ２１０が立ち上がり、表示中文書ＩＤ記憶エリア２１１１に記憶されているＩＤの文書の、表示中ページ数記憶エリア２１１２に記憶されているページ数のデータがメモリカード２０６から読み出され、その座標情報がページデータ展開エリア２１０３に展開される（Ｓ２２４）。そして、ページデータ展開エリア２１０３に記憶されている座標情報に基づいて画素情報が作成されて、現在表示データ記憶エリア２１０１に記憶される（Ｓ２２５）。
【００８１】
そして、Ｓ２１８にて検知されたキー２０８の入力に応じた処理が行われて（Ｓ２１７、図４参照）、Ｓ２０６へ戻り、キー２０８の入力により指示された文書のページが電気泳動表示部２０４に表示されることとなる（Ｓ２０６、表示処理）。
【００８２】
以上のような処理が繰り返し実施され、必要のないときにはＲＡＭ電源２３１及び表示部電源２３０が断たれているので、省電力化を図ることができる。さらに、再度電力の供給が行われた際にはどの文書のどのページを表示しているかの情報は、システム電源から電力の供給が行われている常時動作ＲＡＭ２１１に記憶されているので、現在、電気泳動表示部２０４に表示されているデータに対して、次文書、前文書、次頁、前頁の表示を行うことができる。
【００８３】
なお、上記実施の形態の電気泳動表示部２０４が「不揮発性表示手段」に該当し、ＲＡＭ２１０が「記憶手段」に該当し、キー２０８が「入力手段」に該当し、ＲＡＭ２１０のページデータ展開エリア１２０１が「座標情報記憶手段」に該当し、ＲＡＭ２１０に設けられている現在表示データ記憶エリア２１０２が「画素情報記憶手段」に該当し、常時動作ＲＡＭ２１１に設けられている表示中文書ＩＤ記憶エリア２１１１及び表示中ページ数記憶エリア２１１２が「表示状態情報記憶手段」に該当する。そして、ＲＡＭ電源２３１が「記憶電源」に該当し、ＲＡＭ電源スイッチ２２１が「記憶電源切替手段」に該当し、表示部電源２３０が「表示電源」に該当し、表示部電源スイッチ２２０が「表示電源切替手段」に該当し、常時動作ＲＡＭ２１１をシステム電源に接続していることがが「維持手段」に該当し、入力なし時間カウンタが「未入力時間計測手段」に該当する。
【００８４】
そして、図１２に示すメイン動作のＳ２１５の処理を実行するＣＰＵ２０２が「未入力時間判断手段」に相当し、図１２に示すメイン動作のＳ２０８、図１３に示すキー入力なし処理のＳ２２４の処理を行うＣＰＵ２０２が「座標情報変換手段」に相当し、図１２に示すメイン動作のＳ２１０、図１３に示すキー入力なし処理のＳ２２５の処理を行うＣＰＵ２０２が「画素情報変換手段」に相当し、図１２に示すメイン動作のＳ２１２の処理を行うＣＰＵ２０２が「表示制御手段」に相当する。そして、図１２に示すメイン動作のＳ２１５，図１３に示す表示処理のＳ２２１の処理を行うＣＰＵ２０２が「記憶電源切断制御手段」に相当し、Ｓ２２３の処理を行うＣＰＵ２０２が「記憶電源接続制御手段」に相当し、図１２に示すメイン動作のＳ２０５，Ｓ２０７，Ｓ２１１，Ｓ２１３の処理を行うＣＰＵ２０２が「表示電源接続制御手段」に相当する。そして、前回表示データ記憶エリア２１０１が「前回画素情報記憶手段」に該当し、図１２に示すメイン動作のＳ２０９の処理を行うＣＰＵ２０２が「画素情報移行手段」に相当する。
【００８５】
次に、図１４乃至図１７を参照して、第四の実施の形態について説明する。図１４は、閲覧端末３００の電気的構成を示すブロック図であり、図１５は、挿入検知センサ３２２及び抜取検知センサ３２３を示す回路図である。図１６は、閲覧端末３００のメイン動作を示すフローチャートであり、図１７は、メイン動作の中で実施される前処理のフローチャートである。なお、本実施の形態の閲覧端末３００の外観は第一の実施の形態の閲覧端末１の外観と同様であるので、図１及び説明を引用して省略する。なお、図１における閲覧端末１は閲覧端末３００、電気泳動表示部４は電気泳動表示部７０４、キー８はキー３０８、上キー８１は上キー３８１、下キー８２は下キー３８２、左キー８３は左キー３８３、右キー８４は右キー３８４とする。また、図１６に示すメイン動作のフローチャートの中で実施されるキーに応じた処理については、第一の実施の形態で使用した図７のフローチャートを引用し、表示処理については、第二の実施の形態で使用した図１０のフローチャートを引用する。
【００８６】
まず、図１４を参照して、第四の実施の形態の閲覧端末３００の電気的構成について説明する。本第四の実施の形態の閲覧端末３００は、第二の実施の形態の閲覧端末１００とほぼ同様の構成をしている。異なるのは、メモリカードＩ／Ｆ３０５にメモリカード３０６の挿入を検知する挿入検知センサ３２２と、メモリカード３０６の抜き取りを検知する抜取検知センサ３２３が備えられていることである。図１４に示すように、閲覧端末３００には、閲覧端末３００を制御するＣＰＵ３０２が設けられている。そして、ＣＰＵ３０２には、電気泳動表示部７０４に接続され、電気泳動表示部７０４への表示内容を制御する表示制御部３０３と、携帯型の外部メモリであるメモリカード３０６を接続可能なメモリカードインタフェイス（以下、Ｉ／Ｆと略す）３０５と、キー３０８に接続され、キー３０８からの入力を制御するキーＩ／Ｆ３０７と、ＣＰＵ３０２が実行するプログラム等を記憶したＲＯＭ３０９と、データを一時的に記憶するＲＡＭ３１０、常時動作ＲＡＭ３１１とが接続している。
【００８７】
ここで、閲覧端末３００における電力供給の系統について説明する。第二の実施の形態と同様に、電気泳動表示部７０４は表示部電源３３０から電力の供給を受けており、ＲＡＭ３１０はＲＡＭ電源３３１から電力の供給を受けており、ＣＰＵ３０２及び常時動作ＲＡＭ３１１をはじめとするその他の機器については、システム電源（図示外）から電力の供給を受けている。電気泳動表示部７０４は、表示部電源スイッチ３２０を介して表示部電源３３０に接続しており、この表示部電源スイッチ３２０はＣＰＵ３０２の制御により入り切りが行われる。また、ＲＡＭ３１０は、ＲＡＭ電源スイッチ３２１を介してＲＡＭ電源３３１に接続しており、このＲＡＭ電源スイッチ３２１もＣＰＵ３０２の制御により入り切りが行われる。また、メモリカード３０６の挿入／抜取を検知する挿入センサ３２２及び抜取センサ３２３は、それぞれ未接続時監視電源３３２及び接続時監視電源３３３に接続している（図１５参照）。なお、表示部電源スイッチ３２０及びＲＡＭ電源スイッチ３２１は電池が接続された際にはオフとされている。
【００８８】
そして、電気泳動表示部７０４には、前回表示データ記憶エリア３０４１及び現在表示データ記憶エリア３０４２が設けられており、ＲＡＭ３１０にはページデータ展開エリア３１０１及びその他の記憶エリア３１０２が設けられており、常時動作ＲＡＭ３１１には表示中文書ＩＤ記憶エリア３１１１及び表示中ページ数記憶エリア３１１２が設けられている。なお、各記憶エリアに記憶される内容は、第一の実施の形態と同様であり、その記憶エリアが設けられている機器が異なる。
【００８９】
次に、図１５を参照して、挿入検知センサ３２２及び抜取検知センサ３２３について説明する。図１５に示すように、挿入検知センサ３２２には、未接続時監視スイッチ３４１、挿入検知スイッチ３４２の２つのスイッチが設けられており、抜取検知センサ３２３には、接続時監視スイッチ３５１、抜取検知スイッチ３５２の２つのスイッチが設けられている。挿入検知スイッチ３４２は、メモリカード３０６の挿入口８０にメモリカード３０６が挿入されている状態でオンとなり、挿入されていないとオフとなるように備えられており、抜取検知スイッチ３５２は、メモリカード３０６の挿入口８０にメモリカード３０６が挿入されていない状態でオンとなり、挿入されるとオフとなるように備えられている。そして、未接続時監視スイッチ３４１及び接続時監視スイッチ３５１は、ＣＰＵ３０２によりオン／オフが制御されるスイッチで、それぞれ未接続時監視電源３３２、接続時監視電源３３３に接続している。
【００９０】
未接続時監視スイッチ３４１は、メモリカード３０６が挿入されていないとき、すなわち、挿入検知スイッチ３４２がオフであり、抜取検知スイッチ３５２がオンである場合にオンとされる。そして、接続時監視スイッチ３５１は、メモリカード３０６が挿入されているとき、すなわち、挿入検知スイッチ３４２がオンであり、抜取検知スイッチ３５２がオフである場合にオンとされる。つまり、メモリカード３０６が挿入されていないときには、未接続時監視スイッチ３４１がオンとされて、未接続時監視電源３３２を接続するので、挿入検知スイッチ３４２が有効となる。反面、接続時監視スイッチ３５１はオフとされており、接続時監視電源３３３が切断されているので、抜取検知スイッチ３５２は無効となる。そして、メモリカード３０６が挿入されているときには、未接続時監視スイッチ３４１がオフとされて、未接続時監視電源３３２は切断され、挿入検知スイッチ３４２は無効となり、反面、接続時監視スイッチ３５１がオンとされて、接続時監視電源３３３に接続して、抜取検知スイッチ３５２が有効となる。このような構成により、メモリカード３０６の挿入、抜取を検知することができる。図１５に示す例は、メモリカード３０６が挿入されていない状態である。
【００９１】
次に、図１６及び図１７を参照して、閲覧端末３００の動作について説明する。この動作は閲覧端末３００に電池が接続されると、システム電源から電力が供給されてＣＰＵ３０２において開始される。まず、未接続時監視スイッチ３４１がオンとされ、接続時監視スイッチ３５１がオフとされる（Ｓ３０２）。すると、挿入検知スイッチ３４２が有効となるので、メモリカード３０６が挿入されているか否かの判断が挿入検知スイッチ３４２がオンであるか否かにより判断される（Ｓ３０３）。メモリカード３０６が挿入されていなければ、電気泳動表示部７０４に表示させる情報を読み出すことができないので、表示部電源３３０及びＲＡＭ電源３３１に接続させる必要はない。そこで、挿入検知スイッチ３４２がオフであり、メモリカード３０６が挿入されていなければ（Ｓ３０３：ＮＯ）、Ｓ３０３へ戻り、メモリカード３０６の挿入を待機する。
【００９２】
そして、挿入検知スイッチ３４２がオンであり、メモリカード３０６が挿入されている場合には（Ｓ３０３：ＹＥＳ）、メモリカード３０６の監視状態を切り替えるために、未接続時監視スイッチ３４１がオフとされ、接続時監視スイッチ３５１がオンとされる（Ｓ３０４）。そして、前処理が行われる（Ｓ３０５、図１７参照）。図１７に示すように、まず、ＲＡＭ電源スイッチ３２１がオンされて、ＲＡＭ電源３３１が接続される（Ｓ３２１）。そして、常時作動ＲＡＭ３１１の表示中文書ＩＤ記憶エリア３１１１に「１」、表示中ページ数記憶エリア３１１２に「１」が初期値として記憶される（Ｓ３２２）。そして、Ｓ３０４，Ｓ３０５にて、電気泳動表示部７０４にすべて「白」の表示をするために、電気泳動表示部７０４を起動する必要がある。そこで、表示部電源スイッチ３２０がオンされて、表示部電源３３０が接続される（Ｓ３２３）。そして、電気泳動表示部７０４に設けられている前回表示データ記憶エリア３０４１及び現在表示データ記憶エリア３０４２がすべて「白」とされる（Ｓ３２４）。そして、電気泳動表示部７０４のすべての小区画セルを「白」とする指示が表示制御部３０３へ行われる（Ｓ３０５）。なお、ここで、入力なし時間カウンタの値が「０」に初期化される。この入力なし時間カウンタは、キー３０８への入力が行われない時間を計測するためのタイマカウンタであり、ＣＰＵ３０２に接続した図示外の計時手段からの信号に基づいてカウントアップされる。
【００９３】
そして、表示処理が行われる（Ｓ３０６、図１０参照）。図１０に示すように、表示処理では表示中文書ＩＤ記憶エリア３１１１に記憶されているＩＤ（１）の文書の、表示中ページ数記憶エリア３１１２に記憶されているページ数（１）のデータがメモリカード３０６から読み出され、その座標情報がページデータ展開エリア３１０１に展開される（Ｓ１２１）。そして、現在表示データ記憶エリア３０４２の内容が前回表示データ記憶エリア３０４１にコピーされ（Ｓ１２２）、ページデータ展開エリア３１０１に記憶されている座標情報に基づいて画素情報が作成されて、現在表示データ記憶エリア３０４２に記憶される（Ｓ１２３）。そして、現在表示データ記憶エリア３０４２に記憶されている画素情報の画像が電気泳動表示部７０４に表示される（Ｓ１２４）。具体的には、現在表示データ記憶エリア３０４２に記憶されている画素情報及び前回表示データ記憶エリア３０４１に記憶されている画素情報を比較し、異なる小区画セルについてのみ現在表示データ記憶エリア３０４２の画素情報に基づいた制御の指示が表示制御部３０３に対して行われる。そして、メイン動作へ戻る。
【００９４】
そして、キー３０８からの入力が行われたか否かの判断が行われる（Ｓ３０７）。キー３０８からの入力が行われていれば（Ｓ３０７：ＹＥＳ）、キーに応じた処理が行われる（Ｓ３１６、図７参照）。キーに応じた処理は、第一の実施の形態と同様であるので、引用して説明を省略する。ただし、本第四の実施の形態では、表示文書ＩＤ記憶エリア３１１１及び表示中ページ数記憶エリア３１１２は常時作動ＲＡＭ３１１に設けられている。そして、メイン動作へ戻った後には、表示処理が行われる（Ｓ３０６、図１０参照）。
【００９５】
また、メイン動作において、キー３０８からの入力を受け付けなければ（Ｓ３０７：ＮＯ）、入力なし時間カウンタの値が所定時間（５秒）以上であるか否かにより、キー入力が所定時間（５秒）以上なかったか否かの判断が行われる（Ｓ３０８）。入力なし時間カウンタが所定時間（５秒）以上でなければ（Ｓ３０８：ＮＯ）、所定時間（５秒）以上入力がなかったと判断されず、Ｓ３０７へ戻り、キー３０８からの入力の判断が行われる。このようにして、繰り返しＳ３０７，Ｓ０８の処理が行われ、キー３０８からの入力のない時間が所定時間（５秒）以上となったら（Ｓ３０８：ＹＥＳ）、ＲＡＭ電源スイッチ３２１が「切」とされてＲＡＭ電源３３１と切断され、かつ、表示部電源スイッチ３２０が「切」とされて表示部電源３３０が切断される（Ｓ３０９）。
【００９６】
次いで、メモリカード３０６が抜き取られたか否かの判断が行われる（Ｓ３１０）。ここでは、未接続時監視スイッチ３４１がオフとされ、接続時監視電源３３３がオンとされており、メモリカード３０６の抜き取られているとオンとなる抜取検知スイッチ３５２が有効となっている。抜取検知スイッチ３５２がオンであり、メモリカード３０６が抜き取られていれば（挿入されていなければ）（Ｓ３１０：ＹＥＳ）、キー３０８からの入力に応えて電気泳動表示部７０４に表示する情報を切り替えることはできないので、Ｓ３０２へ戻り、未接続時監視スイッチ３４１がオンとされ、接続時監視電源３３３がオフとされ（Ｓ３０２）、メモリカード３０６の挿入を待機する（Ｓ３０３）。
【００９７】
また、抜取検知スイッチ３５２がオンでなく、メモリカード３０６が抜き取られていなければ（挿入されていれば）（Ｓ３１０：ＮＯ）、キー３０８からの入力が行われたか否かの判断が行われる（Ｓ３１１）。キー入力がなければ（Ｓ３１１：ＮＯ）、Ｓ３１０へ戻り、メモリカード３０６の確認が行われる（Ｓ３１０）。そして、キー３０８からの入力を検知すると（Ｓ３１１：ＹＥＳ）、まずＲＡＭ電源スイッチ３２１がオンされて、ＲＡＭ電源３３１が接続される（Ｓ３１２）。そして、ページデータ展開エリア３１０１及びその他の記憶エリア３１０２が設けられているＲＡＭ３１０が立ち上がり、表示中文書ＩＤ記憶エリア３１１１に記憶されているＩＤの文書の、表示中ページ数記憶エリア３１１２に記憶されているページ数のデータがメモリカード３０６から読み出され、その座標情報がページデータ展開エリア３１０１に展開される（Ｓ３１３）。そして、表示部電源スイッチ３２０がオンとされて、表示部電源３３０が接続される（Ｓ３１４）。すると、ページデータ展開エリア３１０１に記憶されている座標情報に基づいて画素情報が作成されて、現在表示データ記憶エリア３０４１に記憶される（Ｓ３１５）。
【００９８】
そして、Ｓ３１１にて検知されたキー３０８の入力に応じた処理が行われて（Ｓ３１６、図４参照）、Ｓ３０６へ戻り、キー３０８の入力により指示された文書のページが電気泳動表示部７０４に表示されることとなる（Ｓ３０６、表示処理）。
【００９９】
以上のような処理が繰り返し実施され、キー入力が所定時間行われていなかったり、メモリカード３０６が挿入されていなかったりする状態ではＲＡＭ電源３３１及び表示部電源３３０が断たれているので、省電力化を図ることができる。さらに、再度電力の供給が行われた際にはどの文書のどのページを表示しているかの情報は、システム電源から電力の供給が行われている常時動作ＲＡＭ３１１に記憶されているので、現在、電気泳動表示部４に表示されているデータに対して、次文書、前文書、次頁、前頁の表示を行うことができる。
【０１００】
なお、上記実施の形態の電気泳動表示部７０４が「不揮発性表示手段」に該当し、ＲＡＭ３１０が「記憶手段」に該当し、キー３０８が「入力手段」に該当し、入力なし時間カウンタが「未入力時間計測手段」に該当する。そして、ＲＡＭ電源３３１が「記憶電源」に該当し、ＲＡＭ電源スイッチ３２１が「記憶電源切替手段」に該当し、表示部電源３３０が「表示電源」に該当し、表示部電源スイッチ３２０が「表示電源切替手段」に該当し、常時作動ＲＡＭ３１１をシステム電源に接続していることがが「維持手段」に該当する。そして、ＲＡＭ３１０のページデータ展開エリア３１０１が「座標情報記憶手段」に該当し、電気泳動表示部７０４に設けられている現在表示データ記憶エリア３０４２が「画素情報記憶手段」に該当し、常時作動ＲＡＭ３１１に設けられている表示中文書ＩＤ記憶エリア３１１１及び表示中ページ数記憶エリア３１１２が「表示状態情報記憶手段」に該当する。そして、メモリカードＩ／Ｆ３０５が「記憶媒体接続手段」に該当し、挿入検知センサ３２２が「記憶媒体接続検知手段」に該当し、挿入検知スイッチ３４２が「挿入検知スイッチ」に該当し、未接続時監視スイッチが「未接続時監視スイッチ」に該当し、抜取検知センサ３２３が「記憶媒体切断検知手段」に該当し、抜取検知スイッチが「抜取検知スイッチ」に該当し、接続時監視スイッチが「接続時監視スイッチ」に該当する。そして、前回表示データ記憶エリア３０４１が「前回画素情報記憶手段」に該当し、図１０に示す表示処理のＳ１２２の処理を行うＣＰＵ２０２が「画素情報移行手段」に相当する。
【０１０１】
そして、図１６に示すメイン動作のＳ３１１の処理を実行するＣＰＵ３０２が「未入力時間判断手段」に相当し、図１０に示す表示処理のＳ１２１、図１６に示すメイン動作のＳ３１３の処理を行うＣＰＵ３０２が「座標情報変換手段」に相当し、図１０に示す表示処理のＳ１２３、図１６に示すメイン動作のＳ３１５の処理を行うＣＰＵ３０２が「画素情報変換手段」に相当し、図１７に示す前処理のＳ３２５，図１０に示す表示処理のＳ１２４の処理を行うＣＰＵ１０２が「表示制御手段」に相当する。そして、図１６に示すメイン動作のＳ３０８，Ｓ３０９の処理を行うＣＰＵ３０２が「記憶電源切断制御手段」に相当し、Ｓ３１２の処理を行うＣＰＵ３０２が「記憶電源接続制御手段」に相当し、図１６に示すメイン動作のＳ３０８，Ｓ３０９の処理を行うＣＰＵ３０２が「表示電源切断制御手段」に相当し、Ｓ３１４の処理を行うＣＰＵ３０２が「表示電源接続制御手段」に相当し、図１６に示すメイン動作のＳ３０３の処理を行うＣＰＵ３０２が「電源切断制御手段」に相当し、Ｓ３０２，Ｓ３０３，Ｓ３０４の処理を行うＣＰＵ３０２が「検知制御手段」に相当する。
【０１０２】
次に、図１８乃至図１９を参照して、第五の実施の形態について説明する。図１８は、閲覧端末４００のメイン動作を示すフローチャートであり、図１９は、メイン動作の中で実施されるキー入力なし処理のフローチャートである。なお、本実施の形態の閲覧端末４００の外観は第一の実施の形態の閲覧端末１の外観と同様であるので、図１及び説明を引用して省略する。また、電気的構成については第二の実施の形態と同様であるので、図８及び説明を引用して省略する。なお、図１における閲覧端末１及び図８における閲覧端末１００を本実施の形態では、閲覧端末４００とし、図１における電気泳動表示部４は、図８と同じく電気泳動表示部１０４とし、同様にキー８はキー１０８、上キー８１は上キー１８１、下キー８２は下キー１８２、左キー８３は左キー１８３、右キー８４は右キー１８４とする。また、図１８に示すメイン動作のフローチャートの中で実施されるキーに応じた処理については、第一の実施の形態で使用した図７のフローチャートを引用し、表示処理については、第二の実施の形態で使用した図１０のフローチャートを引用する。
【０１０３】
次に、図７、図１０、図１８及び図１９を参照して、閲覧端末１００の動作について説明する。この動作は閲覧端末１００に電池が接続されると、システム電源から電力が供給されてＣＰＵ１０２において開始される。まず、ＲＡＭ電源スイッチ１２１がオンされて、ＲＡＭ電源１３１が接続される（Ｓ４０２）。そして、常時作動ＲＡＭ１１１の表示中文書ＩＤ記憶エリア１１１１に「１」、表示中ページ数記憶エリア１１１２に「１」が初期値として記憶される（Ｓ４０３）。そして、Ｓ４０５，Ｓ４０６にて、電気泳動表示部１０４にすべて「白」の表示をするために、電気泳動表示部１０４を起動する必要がある。そこで、表示部電源スイッチ１２０がオンされて、表示部電源１３０が接続される（Ｓ４０４）。そして、電気泳動表示部１０４に設けられている前回表示データ記憶エリア１０４１及び現在表示データ記憶エリア１０４２がすべて「白」とされる（Ｓ４０５）。そして、電気泳動表示部１０４のすべての小区画セルを「白」とする指示が表示制御部１０３へ行われる（Ｓ４０６）。なお、ここで、入力なし時間カウンタの値が「０」に初期化される。この入力なし時間カウンタは、キー１０８への入力が行われない時間を計測するためのタイマカウンタであり、ＣＰＵ１０２に接続した図示外の計時手段からの信号に基づいてカウントアップされる。
【０１０４】
そして、表示処理が行われる（Ｓ４０７、図１０参照）。図１０に示すように、表示処理では表示中文書ＩＤ記憶エリア１１１１に記憶されているＩＤ（１）の文書の、表示中ページ数記憶エリア１１１２に記憶されているページ数（１）のデータがメモリカード１０６から読み出され、その座標情報がページデータ展開エリア１１０１に展開される（Ｓ１２１）。そして、現在表示データ記憶エリア１０４２の内容が前回表示データ記憶エリア１０４１にコピーされ（Ｓ１２２）、ページデータ展開エリア１１０１に記憶されている座標情報に基づいて画素情報が作成されて、現在表示データ記憶エリア１０４２に記憶される（Ｓ１２３）。そして、現在表示データ記憶エリア１０４２に記憶されている画素情報の画像が電気泳動表示部１０４に表示される（Ｓ１２４）。具体的には、現在表示データ記憶エリア１０４２に記憶されている画素情報及び前回表示データ記憶エリア１０４１に記憶されている画素情報を比較し、異なる小区画セルについてのみ現在表示データ記憶エリア１０４２の画素情報に基づいた制御の指示が表示制御部１０３に対して行われる。そして、メイン動作へ戻る。
【０１０５】
そして、キー１０８からの入力が行われたか否かの判断が行われる（Ｓ４０９）。キー１０８からの入力が行われていれば（Ｓ４０９：ＹＥＳ）、キーに応じた処理が行われる（Ｓ４１８、図７参照）。キーに応じた処理は、第一の実施の形態と同様であるので、引用して説明を省略する。ただし、本第二の実施の形態では、表示文書ＩＤ記憶エリア１１１１及び表示中ページ数記憶エリア１１１２は常時作動ＲＡＭ１１１に設けられている。そして、メイン動作へ戻った後には、表示処理において表示中文書ＩＤ記憶エリア１１１１に記憶されているＩＤの文書の、表示中ページ数記憶エリア１１１２に記憶されているページ数の情報が電気泳動表示部１０４に表示される（Ｓ４０７、図１０参照）。
【０１０６】
また、メイン動作において、キー１０８からの入力を受け付けなければ（Ｓ４０９：ＮＯ）、電気泳動表示部１０４においてカーソル表示がされているか否かの判断が行われる（Ｓ４１０）。カーソルを表示する情報であるか否かについては、図７に示す表示処理のＳ１２１において、座標情報がページデータ展開エリア１１０１に記憶される際に、その他の記憶エリア１１０２に設けられているカーソルフラグがセットされる。本題後の実施の形態では、カーソルフラグに「１」が記憶されてオンとなっている場合にはカーソルが表示されており、「０」が記憶されてオフとなっている場合にはカーソルは表示されていないものとする。
【０１０７】
カーソルフラグがオンであり、カーソル表示がされている場合には（Ｓ４０９：ＹＥＳ）、カーソル点滅処理が行われる（Ｓ４１０）。このカーソル点滅処理では、１秒ごとにカーソル表示位置の表示が「白」と「黒」とで切り替えられる。このために、切り替えのためのタイマカウンタである切替カウンタと、現在表示しているカーソルが白であるか黒であるかを示す白黒フラグとが設けられている。この切替カウンタは、ＣＰＵ１０２に接続した図示外の計時手段からの信号に基づいてカウントアップされる。また、白黒フラグは「１」が記憶されていると「黒」、「０」が記憶されていると「白」を示しており、初期値は「０」で白が表示される。そして、カーソル点滅処理では、この切替カウンタにより１秒が経過しているか否かの判断が行われ、経過していれば、白黒フラグの値を「０」ならば「１」、「１」ならば「０」に切り替え、白黒フラグの値に基づいて表示の更新が行われる。そして、切替カウンタの値がクリアされる。なお、１秒が経過していなければ特段の処理は行われない。
【０１０８】
次いで、入力なし時間カウンタの値が所定時間（５秒）以上であるか否かにより、キー入力が所定時間（５秒）以上なかったか否かの判断が行われる（Ｓ４１１）。入力なし時間カウンタが所定時間（５秒）以上でなければ（Ｓ４１１：ＮＯ）、所定時間（５秒）以上入力がなかったと判断されず、Ｓ４０８へ戻り、キー１０８からの入力の判断が行われる。このようにして、繰り返しＳ４０８〜Ｓ４１１の処理が行われ、キー１０８からの入力のない時間が所定時間（５秒）以上となったら（Ｓ４１１：ＹＥＳ）、キー入力なし処理が行われる（Ｓ４１２、図１９参照）。
【０１０９】
キー入力なし処理では、図１９に示すように、まず、カーソル表示が行われていないか、行われているかの判断が行われる（Ｓ４２１）。カーソルフラグがオフであり、カーソル表示が行われていなければ（Ｓ４２１：ＹＥＳ）、ＲＡＭ電源スイッチ１２１が「切」とされてＲＡＭ電源１３１と切断され、かつ、表示部電源スイッチ１２０が「切」とされて表示部電源１３０が切断される（Ｓ４２２）。そして、キー１０８からの入力を検知したか否かの判断が行われる（Ｓ４２３）。キー入力を検知しなければ（Ｓ４２３：ＮＯ）、キー１０８からの入力があるまで待機する（Ｓ４２３：ＮＯ、Ｓ４２３）。そして、キー１０８からの入力を検知すると（Ｓ４２３：ＹＥＳ）、まずＲＡＭ電源スイッチ１２１がオンされて、ＲＡＭ電源１３１が接続される（Ｓ４２４）。そして、ページデータ展開エリア１１０１及びその他の記憶エリア１１０２が設けられているＲＡＭ１１０が立ち上がり、表示中文書ＩＤ記憶エリア１１１１に記憶されているＩＤの文書の、表示中ページ数記憶エリア１１１２に記憶されているページ数のデータがメモリカード１０６から読み出され、その座標情報がページデータ展開エリア１１０１に展開される（Ｓ４２５）。そして、表示部電源スイッチ１２０がオンとされて、表示部電源１３０が接続される（Ｓ４２６）。すると、ページデータ展開エリア１００３に記憶されている座標情報に基づいて画素情報が作成されて、現在表示データ記憶エリア１００２に記憶される（Ｓ４２７）。そして、メイン動作へ戻る。
【０１１０】
また、カーソル表示が行われていれば（Ｓ４２１：ＮＯ）、まず、ＲＡＭ電源スイッチ１２１が「切」とされてＲＡＭ電源１３１と切断される（Ｓ４３２）。カーソル表示が行われていると、電気泳動表示部１０４は表示部電源１３０に接続している必要があるため、切断されない。そして、キー１０８からの入力を検知したか否かの判断が行われる（Ｓ３３）。キー入力を検知しなければ（Ｓ４３３：ＮＯ）、カーソル点滅処理が行われ（Ｓ４３４）、Ｓ４３３へ戻り、キー１０８からの入力を待機する（Ｓ４３３：ＮＯ、Ｓ４３４）。ここの、カーソル点滅処理はＳ４１０のカーソル点滅処理と同様である。
【０１１１】
そして、キー１０８からの入力を検知すると（Ｓ４３３：ＹＥＳ）、まずＲＡＭ電源スイッチ１２１がオンされて、ＲＡＭ電源１３１が接続される（Ｓ４３４）。そして、ページデータ展開エリア１１０１及びその他の記憶エリア１１０２が設けられているＲＡＭ１１０が立ち上がり、表示中文書ＩＤ記憶エリア１１１１に記憶されているＩＤの文書の、表示中ページ数記憶エリア１１１２に記憶されているページ数のデータがメモリカード１０６から読み出され、その座標情報がページデータ展開エリア１１０１に展開される（Ｓ４３５）。ここでは、表示部電源スイッチ１２０はオンのままであるので、表示部電源スイッチ１２０の制御の必要はない。そして、ページデータ展開エリア１００３に記憶されている座標情報に基づいて画素情報が作成されて、現在表示データ記憶エリア１００２に記憶される（Ｓ４３７）。そして、メイン動作へ戻る。
【０１１２】
そして、Ｓ４３８にて検知されたキー１０８の入力に応じた処理が行われて（Ｓ４３７、図４参照）、Ｓ４０６へ戻り、キー１０８の入力により指示された文書のページが電気泳動表示部１０４に表示されることとなる（Ｓ４０６、表示処理）。
【０１１３】
以上のような処理が繰り返し実施され、必要のないときにはＲＡＭ電源１３１及び表示部電源１３０が断たれているので、省電力化を図ることができる。さらに、再度電力の供給が行われた際にはどの文書のどのページを表示しているかの情報は、システム電源から電力の供給が行われている常時動作ＲＡＭ１１１に記憶されているので、現在、電気泳動表示部４に表示されているデータに対して、次文書、前文書、次頁、前頁の表示を行うことができる。さらに、カーソル表示のような単純な表示切替を行うような場合であったとしても、ＲＡＭ電源１３１は切断されているので、省電力化が図れる。
【０１１４】
なお、上記第五の実施の形態の図９に示すメイン動作のＳ１１２の処理を行うＣＰＵ１０２が「表示電源切断制御手段」に該当し、Ｓ１１６の処理を行うＣＰＵ１０２が「表示電源接続制御手段」に該当する。そして、電気泳動表示部１０４が「不揮発性表示手段」に該当し、ＲＡＭ１１０が「記憶手段」に該当し、キー１０８が「入力手段」に該当し、入力なし時間カウンタが「未入力時間計測手段」に該当する。そして、ＲＡＭ１１０のページデータ展開エリア１１０１が「座標情報記憶手段」に該当し、電気泳動表示部１０４に設けられている現在表示データ記憶エリア１０４２が「画素情報記憶手段」に該当し、常時作動ＲＡＭ１１１に設けられている表示中文書ＩＤ記憶エリア１１１１及び表示中ページ数記憶エリア１１１２が「表示状態情報記憶手段」に該当する。そして、ＲＡＭ電源１３１が「記憶電源」に該当し、ＲＡＭ電源スイッチ１２１が「記憶電源切替手段」に該当し、表示部電源１３０が「表示電源」に該当し、表示部電源スイッチ１２０が「表示電源切替手段」に該当し、常時作動ＲＡＭ１１１をシステム電源に接続していることが「維持手段」に該当する。
【０１１５】
そして、図９に示すメイン動作のＳ１１１の処理を実行するＣＰＵ１０２が「未入力時間判断手段」に相当し、図１０に示す表示処理のＳ１２１、図９に示すメイン動作のＳ１１５の処理を行うＣＰＵ１０２が「座標情報変換手段」に相当し、図１０に示す表示処理のＳ１２３、図９に示すメイン動作のＳ１１７の処理を行うＣＰＵ１０２が「画素情報変換手段」に相当し、図９に示すメイン動作のＳ１０１，図７に示すキーに応じた処理のＳ２２，Ｓ２４，Ｓ２６，Ｓ２８の処理を行うＣＰＵ１０２が「表示制御手段」に相当する。そして、図１８に示すメイン動作のＳ４１０，図１９に示すキー入力なし処理のＳ４３の処理を行うＣＰＵ１０２が「表示内容一部変更手段」に相当し、図９に示すメイン動作のＳ１１２の処理を行うＣＰＵ１０２が「記憶電源切断制御手段」に相当し、Ｓ１１４の処理を行うＣＰＵ１０２が「記憶電源接続制御手段」に相当する。そして、前回表示データ記憶エリア１０４１が「前回画素情報記憶手段」に該当し、図１０に示す表示処理のＳ７の処理を行うＣＰＵ１０２が「画素情報移行手段」に相当する。
【０１１６】
なお、本発明の閲覧端末及び閲覧端末プログラムは、上記した実施の形態に限定されるものではなく、本発明の要旨を逸脱しない範囲内において種々変更を加え得ることは勿論である。上記第一〜第五の実施の形態では、キーと上キー、下キー、右キー、左キーの４種類儲け、キーに応じた処理として、前文書の表示指示、次文書の表示指示、前頁の表示指示、次頁の表示指示を行っているが、その他のキーを備えて、その他の処理も行えるようにしてもよい。
【０１１７】
また、上記第一〜第五の実施の形態では、不揮発性表示手段として電気泳動表示部４を用いていたが、電気泳動方式に限らず、電力が供給されなくても表示内容が維持される不揮発性の表示部であればよく、例えば、磁気泳動方式やコレステリック液晶方式のような他の方式の表示部であっても良い。また、電気泳動表示部を、マイクロカプセルを用いた構成として良い。
【産業上の利用可能性】
【０１１８】
本発明の閲覧端末及び閲覧端末プログラムは、電気泳動方式の表示部を備えた表示装置に適用可能である。
【図面の簡単な説明】
【０１１９】
【図１】閲覧端末１の外観図である。
【図２】閲覧端末１の電気的構成を示すブロック図である。
【図３】電気泳動表示部４の正面図である。
【図４】電気泳動表示部４のＡ−Ａ´線（図２）における矢視方向断面図である。
【図５】電気泳動表示部４のＢ−Ｂ´線（図２）における矢視方向断面図である。
【図６】閲覧端末１のメイン動作を示すフローチャートである。
【図７】メイン動作の中で実施されるキーに応じた処理のフローチャートである。
【図８】閲覧端末１００の電気的構成を示すブロック図である。
【図９】閲覧端末１００のメイン動作を示すフローチャートである。
【図１０】メイン動作の中で実施される表示処理のフローチャートである。
【図１１】閲覧端末２００の電気的構成を示すブロック図である。
【図１２】閲覧端末２００のメイン動作を示すフローチャートである。
【図１３】メイン動作の中で実施されるキー入力なし処理のフローチャートである。
【図１４】閲覧端末３００の電気的構成を示すブロック図である。
【図１５】挿入検知センサ３２２及び抜取検知センサ３２３を示す回路図である。
【図１６】閲覧端末３００のメイン動作を示すフローチャートである。
【図１７】メイン動作の中で実施される前処理のフローチャートである。
【図１８】閲覧端末４００のメイン動作を示すフローチャートである。
【図１９】メイン動作の中で実施されるキー入力なし処理のフローチャートである。
【符号の説明】
【０１２０】
１  閲覧端末
２  ＣＰＵ
３  表示制御部
４  電気泳動表示部
１１  ＥＥＰＲＯＭ
１２  ＲＡＭ電源制御部
１３  電池挿入センサ
２０  システム電源スイッチ
３０  システム電源
１００  閲覧端末
１０２  ＣＰＵ
１０３  表示制御部
１０４  電気泳動表示部
１１０  ＲＡＭ
１１１  常時動作ＲＡＭ
１２０  表示部電源スイッチ
１２１  ＲＡＭ電源スイッチ
１３０  表示部電源
１３１  ＲＡＭ電源
２００  閲覧端末
２０２  ＣＰＵ
２０３  表示制御部
２０４  電気泳動表示部
２１０  ＲＡＭ
２１１  常時動作ＲＡＭ
２２０  表示部電源スイッチ
２２１  ＲＡＭ電源スイッチ
２３０  表示部電源
２３１  ＲＡＭ電源
３００  閲覧端末
３０２  ＣＰＵ
３０３  表示制御部
３１１  常時動作ＲＡＭ
３２０  表示部電源スイッチ
３２１  ＲＡＭ電源スイッチ
３２２  挿入センサ
３２２  挿入検知センサ
３２３  抜取センサ
３２３  抜取検知センサ
３２３  検知センサ
３３０  表示部電源
３３１  ＲＡＭ電源
３３２  未接続時監視電源
３３３  接続時監視電源
３４１  未接続時監視スイッチ
３４２  挿入検知スイッチ
３５１  接続時監視スイッチ
３５２  抜取検知スイッチ
４００  閲覧端末
７０４  電気泳動表示部
１００１  前回表示データ記憶エリア
１００２  現在表示データ記憶エリア
１００３  ページデータ展開エリア
１０４１  前回表示データ記憶エリア
１０４２  現在表示データ記憶エリア
１１０１  ページデータ展開エリア
１１０８  表示中文書ＩＤ記憶エリア
１１０９  表示中ページ数記憶エリア
１１１１  表示中文書ＩＤ記憶エリア
１１１２  表示中ページ数記憶エリア
１２０１  ページデータ展開エリア
２１０１  前回表示データ記憶エリア
２１０２  現在表示データ記憶エリア
２１０３  ページデータ展開エリア
２１１１  表示中文書ＩＤ記憶エリア
２１１２  表示中ページ数記憶エリア
３０４１  前回表示データ記憶エリア
３０４２  現在表示データ記憶エリア
３１０１  ページデータ展開エリア
３１１１  表示中文書ＩＤ記憶エリア
３１１２  表示中ページ数記憶エリア
【図１】
2007187927.tif 000003
【図２】
2007187927.tif 000004
【図３】
2007187927.tif 000005
【図４】
2007187927.tif 000006
【図５】
2007187927.tif 000007
【図６】
2007187927.tif 000008
【図７】
2007187927.tif 000009
【図８】
2007187927.tif 000010
【図９】
2007187927.tif 000011
【図１０】
2007187927.tif 000012
【図１１】
2007187927.tif 000013
【図１２】
2007187927.tif 000014
【図１３】
2007187927.tif 000015
【図１４】
2007187927.tif 000016
【図１５】
2007187927.tif 000017
【図１６】
2007187927.tif 000018
【図１７】
2007187927.tif 000019
【図１８】
2007187927.tif 000020
【図１９】
2007187927.tif 000021